(57)【特許請求の範囲】
【請求項１】
無線通信環境においてランダム・アクセスを実行することを容易にする方法であって、
基地局へランダム・アクセス・プリアンブルを送信することと、
前記ランダム・アクセス・プリアンブルに応答して、前記基地局からのランダム・アクセス応答を受信することと、
アクセス端末から前記基地局へのスケジュールされた送信のために複数の送信期間（ＴＴＩ）をバンドルするかを、ネットワークのために予め定められた設定、ブロードキャスト・メッセージに含まれるインジケータ、前記ランダム・アクセス応答に含まれるインジケータ、またはアップリンク帯域幅のうちの１または複数に基づいて認識することと、
前記アクセス端末によって利用可能なアップリンク・ペイロード・サイズを増やすために、前記スケジュールされた送信のために前記複数のＴＴＩをバンドルすることと、
前記バンドルされた複数のＴＴＩを用いて、前記スケジュールされた送信のペイロードを、共通の伝送ブロック（ＴＢ）内で前記基地局へ送信することと
を備える方法。
【請求項２】
前記アップリンク帯域幅がしきい値以下である場合、前記複数のＴＴＩを選択的にバンドルすることをさらに備える請求項１に記載の方法。
【請求項３】
前記スケジュールされた送信のペイロードは、ラジオ・リソース制御（ＲＲＣ）接続要求および非アクセス階層（ＮＡＳ）プロトコル・データ・ユニット（ＰＤＵ）に関連する情報を備える請求項１に記載の方法。
【請求項４】
前記スケジュールされた送信のペイロードは、ラジオ・リソース制御（ＲＲＣ）接続再確立メッセージのためのメッセージ認証コード・インテグリティ（ＭＡＣ−Ｉ）に関連する情報を備える請求項１に記載の方法。
【請求項５】
前記複数のＴＴＩを、周波数分割デュプレクス（ＦＤＤ）システムにおいてバンドルすることをさらに備える請求項１に記載の方法。
【請求項６】
設定０、設定１、または設定６のうちの１つを適用する時分割デュプレクス（ＴＤＤ）システムにおいて、前記複数のＴＴＩをバンドルすることをさらに備える請求項１に記載の方法。
【請求項７】
無線通信装置であって、
ランダム・アクセス・プリアンブルを基地局へ送信することと、
前記ランダム・アクセス・プリアンブルに応答して、前記基地局からのランダム・アクセス応答を取得することと、
スケジュールされた送信のために複数の送信期間（ＴＴＩ）をバンドルするかを、ネットワークのために予め定められた設定、ブロードキャスト・メッセージに含まれるインジケータ、前記ランダム・アクセス応答に含まれるインジケータ、またはアップリンク帯域幅のうちの１または複数に基づいて認識することと、
前記無線通信装置によって利用可能なアップリンク・ペイロード・サイズを増やすために、前記スケジュールされた送信のために前記複数のＴＴＩをバンドルすることと、
前記バンドルされた複数のＴＴＩを用いて、前記スケジュールされた送信を前記基地局へ送信することと、
に関連する命令群を保持するメモリと、
前記メモリに接続され、前記メモリに保持された命令群を実行するように構成されたプロセッサと
を備える無線通信装置。
【請求項８】
前記複数のＴＴＩをバンドルすることを、ネットワークにわたって実行する、請求項７に記載の無線通信装置。
【請求項９】
前記メモリはさらに、アップリンク帯域幅がしきい値以下であるかに基づいて、前記複数のＴＴＩをバンドルするかを検出すること、に関連する命令群を保持する請求項７に記載の無線通信装置。
【請求項１０】
前記スケジュールされた送信は、ラジオ・リソース制御（ＲＲＣ）接続要求および非アクセス階層（ＮＡＳ）プロトコル・データ・ユニット（ＰＤＵ）に関連する情報を備える請求項７に記載の無線通信装置。
【請求項１１】
前記スケジュールされた送信は、ラジオ・リソース制御（ＲＲＣ）接続再確立メッセージのためのメッセージ認証コード・インテグリティ（ＭＡＣ−Ｉ）に関連する情報を備える請求項７に記載の無線通信装置。
【請求項１２】
前記メモリはさらに、設定０、設定１、または設定６のうちの１つを利用する時分割デュプレクス（ＴＤＤ）システムまたは周波数分割デュプレクス（ＦＤＤ）システムのうちの少なくとも１つにおいて、前記複数のＴＴＩをバンドルすること、に関連する命令群を保持する請求項７に記載の無線通信装置。
【請求項１３】
無線通信環境においてランダム・アクセスを実行することを可能にする無線通信装置であって、
ランダム・アクセス手順において、基地局へのスケジュールされた送信のために、複数の送信期間（ＴＴＩ）をバンドルするかを、ネットワークのために予め定められた設定、ブロードキャスト・メッセージに含まれるインジケータ、ランダム・アクセス応答に含まれるインジケータ、またはアップリンク帯域幅のうちの１または複数に基づいて認識する手段と、
前記複数のＴＴＩをバンドルすると認識された場合、前記無線通信装置によって利用可能なアップリンク・ペイロード・サイズを増やすために、前記複数のＴＴＩをバンドルする手段と、
前記スケジュールされた送信を、前記バンドルされた複数のＴＴＩによって、前記基地局へ送る手段と
を備える無線通信装置。
【請求項１４】
前記基地局との前記ランダム・アクセス手順を実行する手段をさらに備える請求項１３に記載の無線通信装置。
【請求項１５】
前記複数のＴＴＩをバンドルすることがサポートされるか否かを、ネットワーク毎、基地局毎、またはアクセス端末毎に制御する、請求項１３に記載の無線通信装置。
【請求項１６】
前記スケジュールされた送信は、ラジオ・リソース制御（ＲＲＣ）接続要求および非アクセス階層（ＮＡＳ）プロトコル・データ・ユニット（ＰＤＵ）に関連する情報を備える請求項１３に記載の無線通信装置。
【請求項１７】
前記スケジュールされた送信は、ラジオ・リソース制御（ＲＲＣ）接続再確立メッセージのためのメッセージ認証コード・インテグリティ（ＭＡＣ−Ｉ）に関連する情報を備える請求項１３に記載の無線通信装置。
【請求項１８】
コンピュータ読取可能な記録媒体であって、
アクセス端末から基地局へランダム・アクセス・プリアンブルを送信するためのコードと、
前記ランダム・アクセス・プリアンブルに応答して、前記基地局からのランダム・アクセス応答を前記アクセス端末が受信するためのコードと、
前記アクセス端末から前記基地局へのスケジュールされた送信のために複数の送信期間（ＴＴＩ）をバンドルするかを、ネットワークのために予め定められた設定、ブロードキャスト・メッセージに含まれるインジケータ、前記ランダム・アクセス応答に含まれるインジケータ、またはアップリンク帯域幅のうちの１または複数に基づいて認識するためのコードと、
前記複数のＴＴＩをバンドルすると認識された場合、前記アクセス端末によって利用可能なアップリンク・ペイロード・サイズを増やすために、前記スケジュールされた送信のために前記複数のＴＴＩをバンドルするためのコードと、
前記バンドルされた複数のＴＴＩを用いて、前記スケジュールされた送信のペイロードを、共通の伝送ブロック（ＴＢ）内で前記基地局へ送信するためのコードと
を記録したコンピュータ読取可能な記録媒体。
【請求項１９】
前記複数のＴＴＩをバンドルするためのコードは、前記複数のＴＴＩをバンドルすることをネットワークにわたって実行する、請求項１８に記載のコンピュータ読取可能な記録媒体。
【請求項２０】
無線通信装置であって、
基地局へランダム・アクセス・プリアンブルを送信し、
前記ランダム・アクセス・プリアンブルに応答して、前記基地局からランダム・アクセス応答を取得し、
前記基地局へのスケジュールされた送信のために複数の送信期間（ＴＴＩ）をバンドルするかを、ネットワークのために予め定められた設定、ブロードキャスト・メッセージに含まれるインジケータ、前記ランダム・アクセス応答に含まれるインジケータ、またはアップリンク帯域幅のうちの１または複数に基づいて認識し、
前記無線通信装置によって利用可能なアップリンク・ペイロード・サイズを増やすために、前記スケジュールされた送信のために前記複数のＴＴＩをバンドルし、
前記バンドルされた複数のＴＴＩを用いて、前記スケジュールされた送信を、共通の伝送ブロック（ＴＢ）内で前記基地局へ送信し、
前記スケジュールされた送信に応答して、前記基地局から、競合解決メッセージを取得する
ように構成されたプロセッサを備える無線通信装置。
【請求項２１】
無線通信環境において、ランダム・アクセス手順を有効にすることを容易にする方法であって、
アクセス端末からランダム・アクセス・プリアンブルを受信することと、
前記ランダム・アクセス・プリアンブルに基づいて、ランダム・アクセス応答を生成することと、
前記ランダム・アクセス応答を前記アクセス端末へ送信することと、
前記アクセス端末が複数の送信期間（ＴＴＩ）をバンドルするかを、ネットワークのために予め定められた設定、ブロードキャスト・メッセージに含まれるインジケータ、前記ランダム・アクセス応答に含まれるインジケータ、またはアップリンク帯域幅のうちの１または複数に基づいて制御することと、
前記アクセス端末から、前記アクセス端末によって利用可能なアップリンク・ペイロード・サイズを増やすために、バンドルされた複数のＴＴＩを用いて送られた、スケジュールされた送信を受信することと
を備える方法。
【請求項２２】
前記バンドルされたＴＴＩの使用を、ネットワークについて予め定めること、をさらに備える請求項２１に記載の方法。
【請求項２３】
前記バンドルされた複数のＴＴＩを用いて送られたスケジュールされた送信は、ラジオ・リソース制御（ＲＲＣ）接続要求および非アクセス階層（ＮＡＳ）プロトコル・データ・ユニット（ＰＤＵ）に関連する情報を含む請求項２１に記載の方法。
【請求項２４】
前記アクセス端末からのスケジュールされた送信の後、後続するアップリンク・メッセージを受信する前に、前記ＮＡＳ  ＰＤＵに基づいて、初期アクセス端末メッセージを移動管理エンティティ（ＭＭＥ）へ送信することをさらに備える請求項２３に記載の方法。
【請求項２５】
前記バンドルされた複数のＴＴＩを用いて送られたスケジュールされた送信は、ラジオ・リソース制御（ＲＲＣ）接続再確立メッセージのためのメッセージ認証コード・インテグリティ（ＭＡＣ−Ｉ）に関連する情報を含む請求項２１に記載の方法。
【請求項２６】
無線通信装置であって、
アクセス端末からランダム・アクセス・プリアンブルを受信することと、
前記ランダム・アクセス・プリアンブルに基づいて、ランダム・アクセス応答を生成することと、
前記ランダム・アクセス応答を前記アクセス端末へ送信することと、
前記アクセス端末が複数の送信期間（ＴＴＩ）をバンドルするかを、ネットワークのために予め定められた設定、ブロードキャスト・メッセージに含まれるインジケータ、前記ランダム・アクセス応答に含まれるインジケータ、またはアップリンク帯域幅のうちの１または複数に基づいて制御することと、
前記アクセス端末から、前記アクセス端末によって利用可能なアップリンク・ペイロード・サイズを増やすために、バンドルされた複数のＴＴＩを用いて送られた、スケジュールされた送信を受信することと
に関連する命令群を保持するメモリと、
前記メモリに接続され、前記メモリに保持された命令群を実行するように構成されたプロセッサと
を備える無線通信装置。
【請求項２７】
前記バンドルされた複数のＴＴＩを用いて送られたスケジュールされた送信は、ラジオ・リソース制御（ＲＲＣ）接続要求および非アクセス階層（ＮＡＳ）プロトコル・データ・ユニット（ＰＤＵ）に関連する情報を含む請求項２６に記載の無線通信装置。
【請求項２８】
前記バンドルされた複数のＴＴＩを用いて送られたスケジュールされた送信は、ラジオ・リソース制御（ＲＲＣ）接続再確立メッセージのためのメッセージ認証コード・インテグリティ（ＭＡＣ−Ｉ）に関連する情報を含む請求項２６に記載の無線通信装置。
【請求項２９】
無線通信環境におけるランダム・アクセスを管理することを可能にする無線通信装置であって、
ランダム・アクセス手順において、アクセス端末が、スケジュールされた送信のために複数の送信期間（ＴＴＩ）をバンドルするかを、ネットワークのために予め定められた設定、ブロードキャスト・メッセージに含まれるインジケータ、ランダム・アクセス応答に含まれるインジケータ、またはアップリンク帯域幅のうちの１または複数に基づいて制御する手段と、
前記アクセス端末から、前記アクセス端末によって利用可能なアップリンク・ペイロード・サイズを増やすために、バンドルされた複数のＴＴＩを用いて送られた、前記スケジュールされた送信を受信する手段と
を備える無線通信装置。
【請求項３０】
前記アクセス端末との前記ランダム・アクセス手順を有効にするための手段をさらに備える請求項２９に記載の無線通信装置。
【請求項３１】
前記バンドルされた複数のＴＴＩを用いて前記アクセス端末から送られたスケジュールされた送信は、非アクセス階層（ＮＡＳ）プロトコル・データ・ユニット（ＰＤＵ）を伴うラジオ・リソース制御（ＲＲＣ）接続要求、または、メッセージ認証コード・インテグリティ（ＭＡＣ−Ｉ）を伝送するＲＲＣ接続再確立メッセージのうちの１つを備える請求項２９に記載の無線通信装置。
【請求項３２】
コンピュータ読取可能な記録媒体であって、
ランダム・アクセス手順において、アクセス端末が、スケジュールされた送信のために複数の送信期間（ＴＴＩ）をバンドルするかを、ネットワークのために予め定められた設定、ブロードキャスト・メッセージに含まれるインジケータ、ランダム・アクセス応答に含まれるインジケータ、またはアップリンク帯域幅のうちの１または複数に基づいて制御するためのコードと、
前記アクセス端末から、前記アクセス端末によって利用可能なアップリンク・ペイロード・サイズを増やすために、バンドルされた複数のＴＴＩを用いて送られた、前記スケジュールされた送信を取得するためのコードと
を記録したコンピュータ読取可能な記録媒体。
【請求項３３】
前記アクセス端末との前記ランダム・アクセス手順を実行するためのコードをさらに記録した請求項３２に記載のコンピュータ読取可能な記録媒体。
【請求項３４】
前記バンドルされた複数のＴＴＩを用いて前記アクセス端末から送られたスケジュールされた送信は、非アクセス階層（ＮＡＳ）プロトコル・データ・ユニット（ＰＤＵ）を伴うラジオ・リソース制御（ＲＲＣ）接続要求、または、メッセージ認証コード・インテグリティ（ＭＡＣ−Ｉ）を伝送するＲＲＣ接続再確立メッセージのうちの１つを備える請求項３２に記載のコンピュータ読取可能な記録媒体。
【請求項３５】
無線通信装置であって、
アクセス端末からランダム・アクセス・プリアンブルを受信し、
前記ランダム・アクセス・プリアンブルに基づいて、ランダム・アクセス応答を生成し、
前記アクセス端末へ前記ランダム・アクセス応答を送信し、
前記アクセス端末が、スケジュールされた送信のために、複数の送信期間（ＴＴＩ）をバンドルするかを、ネットワークのために予め定められた設定、ブロードキャスト・メッセージに含まれるインジケータ、前記ランダム・アクセス応答に含まれるインジケータ、またはアップリンク帯域幅のうちの１または複数に基づいて制御し、
前記アクセス端末から、前記アクセス端末によって利用可能なアップリンク・ペイロード・サイズを増やすために、バンドルされた複数の送信期間（ＴＴＩ）を用いて送られた、スケジュールされた送信を受信する
ように構成されたプロセッサを備える無線通信装置。
【発明の詳細な説明】
【関連出願に対する相互参照】
【０００１】
本願は、２００８年８月１８日に出願された“Ａ  ＭＥＴＨＯＤ  ＡＮＤ  ＡＰＰＡＲＡＴＵＳ  ＦＯＲ  ＴＴＩ  ＢＵＮＤＬＩＮＧ  ＩＮ  Ａ  ＷＩＲＥＬＥＳＳ  ＣＯＭＭＵＮＩＣＡＴＩＯＮ”と題された米国仮出願６１／０８９，８１６号の利益を主張する。上記出願の全体は、参照によって本明細書に組み込まれる。
【技術分野】
【０００２】
以下の記載は、一般に、無線通信に関し、さらに詳しくは、無線通信システムにおいて有効とされたランダム・アクセス手順で使用される送信期間（ＴＴＩ）をバンドルすることに関する。
【背景技術】
【０００３】
無線通信システムはさまざまなタイプの通信を提供するために広く開発され、例えば、音声および／またはデータが、そのような無線通信システムによって提供されうる。一般的な無線通信システムすなわちネットワークは、複数のユーザへ、１または複数の共有リソース（例えば、帯域幅、送信電力）に対するアクセスを提供しうる。例えば、システムは、周波数分割多重化（ＦＤＭ）、時分割多重化（ＴＤＭ）、符号分割多重化（ＣＤＭ）、直交周波数分割多重化（ＯＦＤＭ）のような様々な多元接続技術を使用することができる。
【０００４】
通常、無線多元接続通信システムは、複数のアクセス端末のための通信を同時にサポートすることができる。おのおののアクセス端末は、順方向リンクおよび逆方向リンクによる送信を介して、１または複数の基地局と通信することができる。順方向リンク（すなわち、ダウンリンク）は、基地局からアクセス端末への通信リンクを称し、逆方向リンク（すなわち、アップリンク）は、アクセス端末から基地局への通信リンクを称する。この通信リンクは、単一入力単一出力システム、複数入力単一出力システム、あるいは複数入力複数出力（ＭＩＭＯ）システムによって確立される。
【０００５】
ＭＩＭＯシステムはデータ送信のために一般に、複数（ＮＴ個）の送信アンテナと複数（ＮＲ個）の受信アンテナとを適用する。ＮＴ個の送信アンテナおよびＮＲ個の受信アンテナによって形成されるＭＩＭＯチャネルは、空間チャネルとも称されるＮＳ個の独立チャネルへ分割される。ここでＮＳ≦｛ＮＴ、ＮＲ｝である。ＮＳ個の独立チャネルのおのおのは、ディメンションに相当する。さらに、複数の送信アンテナおよび受信アンテナによって生成される追加のディメンションが利用される場合、ＭＩＭＯシステムは、（例えば、高められたスペクトル効率、より高いスループット、および／またはより高い信頼性のような）向上されたパフォーマンスを与える。
【０００６】
ＭＩＭＯシステムは、順方向リンク通信および逆方向リンク通信を、共通の物理媒体によって分割するさまざまなデュプレクス技術をサポートしうる。例えば、周波数分割デュプレクス（ＦＤＤ）システムは、順方向リンク通信および逆方向リンク通信のために異なる周波数領域を利用しうる。さらに、時分割デュプレクス（ＴＤＤ）システムでは、相互原理によって、逆方向リンク・チャネルから順方向リンク・チャネルを推定できるように、順方向リンク送信および逆方向リンク送信が、同じ周波数領域にある。
【０００７】
無線通信システムはしばしば、有効通信範囲領域を提供する１または複数の基地局を使用する。一般的な基地局は、ブロードキャスト・サービス、マルチキャスト・サービス、および／またはユニキャスト・サービスのために、複数のデータ・ストリームを送信する。ここで、データ・ストリームは、モバイル・デバイスに対して興味のある独立した受信からなるデータのストリームでありうる。そのような基地局の有効通信範囲領域内のアクセス端末は、合成ストリームによって搬送される１つ、１つより多い、または全てのデータ・ストリームを受信するために適用されうる。同様に、モバイル・デバイスは、基地局あるいは他のモバイル・デバイスへデータを送信することができる。
【０００８】
アクセス端末は、システムへのアクセスを取得するため（例えば、通信チャネルおよび／または関連付けられたリソースの割当を得るため）に、ランダム・アクセス手順を利用しうる。例えば、ランダム・アクセス手順は、システムへの初期アクセス、ソース基地局からターゲット基地局へのハンドオーバ等のために使用されうる。一般に、アクセス端末は、ランダム・アクセス手順を開始するために、アップリンクでランダム・アクセス・プリアンブルを送信する。基地局は、このランダム・アクセス・プリアンブルを受信し、ダウンリンクで送信されるランダム・アクセス応答をもって応答する。このランダム・アクセス応答に基づいて、アクセス端末は、スケジュールされた送信を、アップリンクで基地局へ送信しうる。しかしながら、アクセス端末はしばしば、アップリンク電力が制限されているので、アクセス端末によって適用されうるスケジュールされた送信のペイロード・サイズは小さくなりうる。したがって、アクセス端末は一般に、基地局との接続を生成することを可能にする情報を基地局に提供するために、スケジュールされた送信のみならず、１または複数の追加のアップリンク・メッセージを送信しうる。これら追加のアップリンク・メッセージの送信は、アクセス端末が基地局と接続することを遅れさせる。
【発明の概要】
【０００９】
以下は、１または複数の実施形態の基本的な理解を与えるために、そのような実施形態の簡略化された概要を示す。この概要は、考えられるすべての実施形態の広範囲な概観ではなく、すべての実施形態の重要要素や決定的要素を特定することも、何れかまたはすべての実施形態のスコープを線引きすることも意図されていない。その唯一の目的は、後に示されるより詳細な記載に対する前置きとして、簡略化された形式で１または複数の実施形態のいくつかの概念を表すことである。
【００１０】
１または複数の実施形態および対応する開示によれば、さまざまな態様が、無線通信環境におけるランダム・アクセス手順の遂行を容易にすることに関して記載される。アクセス端末から基地局へとランダム・アクセス・プリアンブルが送信され、それに応答して、基地局からアクセス端末へランダム・アクセス応答が送信されうる。ランダム・アクセス応答は、スケジュールされた送信（例えば、メッセージ３）のために、アクセス端末によって利用されるべきリソースを割り当てうる。さらに、スケジュールされた送信のために、複数の送信期間（ＴＴＩ）がバンドルされうる。さらに、バンドルされた複数のＴＴＩを用いて、スケジュールされた送信のペイロードが、共通の伝送ブロック（ＴＢ）内でアクセス端末から基地局へと送信されうる。例によれば、ＴＴＩバンドリングの適用は、ネットワーク毎ベースで、基地局毎ベースで、あるいはアクセス端末毎ベースで制御されうる。
【００１１】
関連する態様によれば、本明細書では、無線通信環境においてランダム・アクセスを実行することを容易にする方法が記載される。この方法は、基地局へランダム・アクセス・プリアンブルを送信することを含みうる。さらに、この方法は、ランダム・アクセス・プリアンブルに応答して、基地局からのランダム・アクセス応答を受信することを含みうる。さらに、この方法は、スケジュールされた送信のために、複数の送信期間（ＴＩＩ）をバンドルすることを含みうる。この方法はまた、バンドルされた複数のＴＴＩを用いて、スケジュールされた送信のペイロードが、共通の伝送ブロック（ＴＢ）内で基地局へと送信されうる。
【００１２】
別の態様は、無線通信装置に関する。この無線通信装置は、ランダム・アクセス・プリアンブルを基地局へ送信することと、ランダム・アクセス・プリアンブルに応答して、基地局からのランダム・アクセス応答を取得することと、スケジュールされた送信のために、複数の送信期間をバンドルすることと、バンドルされた複数のＴＴＩを用いて、スケジュールされた送信を基地局へ送信することと、に関連する命令群を保持するメモリを含みうる。さらに、この無線通信装置は、メモリに接続され、メモリに保持された命令群を実行するように構成されたプロセッサを含みうる。
【００１３】
さらに別の態様は、無線通信環境においてランダム・アクセスを実行することを可能にする無線通信装置に関する。この無線通信装置は、ランダム・アクセス手順において、基地局へのスケジュールされた送信のために、複数の送信期間（ＴＴＩ）をバンドルするかを検出する手段を含みうる。さらに、この無線通信装置は、複数のＴＴＩをバンドルする手段を備えうる。さらに、この無線通信装置は、スケジュールされた送信を、バンドルされた複数のＴＴＩによって、基地局へ送信する手段を含みうる。
【００１４】
また、別の態様は、コンピュータ読取可能媒体を備えうるコンピュータ・プログラム製品に関する。このコンピュータ読取可能媒体は、基地局へランダム・アクセス・プリアンブルを送信するためのコードを含みうる。さらに、このコンピュータ読取可能媒体は、ランダム・アクセス・プリアンブルに応答して、基地局からのランダム・アクセス応答を受信するためのコードを含みうる。さらに、このコンピュータ読取可能媒体は、基地局へのスケジュールされた送信のために、複数の送信期間（ＴＴＩ）をバンドルするかを検出するためのコードを含みうる。さらに、このコンピュータ読取可能媒体は、スケジュールされた送信のために複数のＴＴＩをバンドルするためのコードを含みうる。このコンピュータ読取可能媒体はまた、バンドルされた複数のＴＴＩを用いて、スケジュールされた送信のペイロードを、共通の伝送ブロック（ＴＢ）内で基地局へ送信するためのコードをも含みうる。
【００１５】
別の態様によれば、無線通信装置は、基地局へランダム・アクセス・プリアンブルを送信するように構成されたプロセッサを含みうる。さらに、このプロセッサは、ランダム・アクセス・プリアンブルに応答して、基地局からランダム・アクセス応答を取得するように構成されうる。このプロセッサはさらに、スケジュールされた送信のために、複数の送信期間（ＴＴＩ）をバンドルするかを、アップリンク帯域幅、ランダム・アクセス応答に含まれるインジケータ、ブロードキャスト・メッセージに含まれるインジケータ、またはネットワークのために予め定められた設定のうちの１または複数に基づいて認識するように構成されうる。また、プロセッサは、スケジュールされた送信のために複数のＴＴＩをバンドルするように構成されうる。さらに、このプロセッサは、バンドルされた複数のＴＴＩを用いて、スケジュールされた送信を、共通の伝送ブロック（ＴＢ）内で基地局へ送信するように構成されうる。このプロセッサはまた、このスケジュールされた送信に応答して、基地局から、競合解決メッセージを取得するように構成されうる。
【００１６】
他の態様によれば、本明細書では、無線通信環境において、ランダム・アクセス手順を有効にすることを容易にする方法が記載される。この方法は、アクセス端末からランダム・アクセス・プリアンブルを受信することを含みうる。この方法はまた、ランダム・アクセス・プリアンブルに基づいて、ランダム・アクセス応答を生成することを含みうる。さらに、この方法は、ランダム・アクセス応答をアクセス端末へ送信することを含みうる。さらに、この方法は、バンドルされた複数の送信期間（ＴＴＩ）を用いて、アクセス端末から送信された、スケジュールされた送信を受信することを含みうる。
【００１７】
別の態様は、無線通信装置に関する。この無線通信装置は、アクセス端末からランダム・アクセス・プリアンブルを受信することと、ランダム・アクセス・プリアンブルに基づいて、ランダム・アクセス応答を生成することと、ランダム・アクセス応答をアクセス端末へ送信することと、バンドルされた複数の送信期間（ＴＴＩ）を用いて、アクセス端末から送られたスケジュールされた送信を受信することと、に関連する命令群を保持するメモリを含みうる。さらに、この無線通信装置は、メモリに接続され、メモリに保持された命令群を実行するように構成されたプロセッサを含みうる。
【００１８】
さらに別の態様は、無線通信環境におけるランダム・アクセスを管理することを可能にする無線通信装置に関する。この無線通信装置は、ランダム・アクセス手順において、アクセス端末が、スケジュールされた送信のために複数の送信期間（ＴＴＩ）をバンドルするかを制御する手段を含みうる。さらに、この無線通信装置は、バンドルされた複数のＴＴＩを用いて、アクセス端末から送信された、スケジュールされた送信を受信する手段を含みうる。
【００１９】
また、別の態様は、コンピュータ読取可能媒体を備えうるコンピュータ・プログラム製品に関する。このコンピュータ読取可能媒体は、ランダム・アクセス手順において、アクセス端末が、スケジュールされた送信のために複数の送信期間（ＴＴＩ）をバンドルするかを管理するためのコードを含みうる。さらに、このコンピュータ読取可能媒体は、バンドルされた複数のＴＴＩを用いて、スケジュールされた送信を、アクセス端末から取得するためのコードを含みうる。
【００２０】
別の態様によれば、この無線通信装置は、アクセス端末からランダム・アクセス・プリアンブルを受信するように構成されたプロセッサを含みうる。さらに、このプロセッサは、ランダム・アクセス・プリアンブルに基づいて、ランダム・アクセス応答を生成するように構成されうる。さらに、このプロセッサは、アクセス端末へランダム・アクセス応答を送信するように構成されうる。このプロセッサはまた、アクセス端末が、スケジュールされた送信のために、複数の送信期間（ＴＴＩ）をバンドルするかを制御するようにも構成されうる。さらに、このプロセッサは、バンドルされた複数の送信期間（ＴＴＩ）を用いて、アクセス端末から送信されたスケジュールされた送信を受信するように構成されうる。
【００２１】
前述した目的および関連する目的を達成するために、１または複数の実施形態は、後に完全に説明され、特許請求の範囲において特に指摘された特徴を備える。本明細書に記述された以下の説明および添付図面は、１または複数の実施形態のある実例となる態様を詳述する。しかしながら、これらの態様は、さまざまな実施形態の原理が適用されるさまざまな方法のうちの僅かしか示しておらず、記載された実施形態は、そのようなすべての局面およびそれらの均等物を示すことが意図されている。
【図面の簡単な説明】
【００２２】
【図１】図１は、本明細書に記載されたさまざまな態様にしたがう無線通信システムの例示である。
【図２】図２は、無線通信環境において、ランダム・アクセス手順のために、送信期間（ＴＴＩ）バンドリングを利用するシステムを例示する。
【図３】図３は、ＴＴＩバンドリングを利用することなく実現されるランダム・アクセス手順のコール・フロー図を例示する。
【図４】図４は、ＴＴＩバンドリングを利用することを含むランダム・アクセス手順のコール・フロー図を例示する。
【図５】図５は、ＲＲＣ接続再確立のために利用されるランダム・アクセス手順のコール・フロー図を例示する。
【図６】図６は、無線通信環境においてランダム・アクセスを実行することを容易にする方法を例示する。
【図７】図７は、無線通信環境においてランダム・アクセス手順を有効にすることを容易にする方法論を例示する。
【図８】図８は、無線通信システムにおいて、ランダム・アクセス手順のスケジュールされた送信（例えば、メッセージ３）を送るために、ＴＴＩバンドリングを利用するアクセス端末を例示する。
【図９】図９は、無線通信環境において、ランダム・アクセスを用いた接続において、ＴＴＩバンドリングを管理するシステムを例示する。
【図１０】図１０は、本明細書に記載されたさまざまなシステムおよび方法と共に適用されうる無線ネットワーク環境を例示する。
【図１１】図１１は、無線通信環境においてランダム・アクセスを実行することを可能にするシステムを例示する。
【図１２】図１２は、無線通信環境においてランダム・アクセスを可能にするシステムを例示する。
【発明を実施するための形態】
【００２３】
さまざまな実施形態が、全体を通じて同一要素を示すために同一の参照番号が使用される図面を参照して説明される。次の記述では、説明の目的のために、多数の特定の詳細が、１または複数の実施形態についての完全な理解を提供するために記述される。しかしながら、そのような実施形態は、これら具体的な詳細なしで実現されうることが明白でありうる。他の事例では、１または複数の実施形態の記載を容易にするために、周知の構成およびデバイスがブロック図形式で示される。
【００２４】
本願で使用されるように、用語「構成要素」、「モジュール」、「システム」等は、ハードウェア、ファームウェア、ハードウェアとソフトウェアとの組み合わせ、ソフトウェア、または実行中のソフトウェアのようなコンピュータ関連エンティティを称することが意図される。例えば、構成要素は、限定される訳ではないが、プロセッサ上で実行中のプロセス、プロセッサ、オブジェクト、実行形式、実行スレッド、プログラム、および／またはコンピュータでありうる。例示によれば、コンピュータ・デバイス上で実行中のアプリケーションと、コンピュータ・デバイスとの両方が構成要素になりえる。１または複数の構成要素は、プロセスおよび／または実行スレッド内に存在し、構成要素は、１つのコンピュータに局在化されるか、および／または、複数のコンピュータに分散されうる。さらに、これらの構成要素は、さまざまなデータ構造を格納したさまざまなコンピュータ読取可能媒体から実行可能である。これら構成要素は、（例えば、信号によってローカル・システムや分散システム内の他の構成要素とインタラクトする１つの構成要素からのデータ、および／または、他のシステムを備えた例えばインターネットのようなネットワークを経由して他の構成要素とインタラクトする１つの構成要素からのデータのような）１または複数のデータのパケットを有する信号にしたがって、ローカル処理および／またはリモート処理によって通信することができる。
【００２５】
本明細書に記述された技術は、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングル・キャリア周波数分割多元接続（ＳＣ−ＦＤＭＡ）システム、およびその他のシステムのようなさまざまな無線通信システムに使用することができる。「システム」、「ネットワーク」という用語はしばしば置換可能に使用される。ＣＤＭＡシステムは、例えばユニバーサル地上ラジオ・アクセス（ＵＴＲＡ）、ＣＤＭＡ２０００等のようなラジオ技術を実現することができる。ＵＴＲＡは、広帯域ＣＤＭＡ（Ｗ−ＣＤＭＡ）およびＣＤＭＡのその他の変形を含んでいる。ＣＤＭＡ２０００は、ＩＳ−２０００規格、ＩＳ−９５規格、およびＩＳ−８５６規格をカバーする。ＴＤＭＡシステムは、例えばグローバル移動体通信システム（ＧＳＭ（登録商標））のような無線技術を実現することができる。ＯＦＤＭＡシステムは、例えばイボルブドＵＴＲＡ（Ｅ−ＵＴＲＡ）、ウルトラ・モバイル・ブロードバンド（ＵＭＢ）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、フラッシュ−ＯＦＤＭ（登録商標）等のような無線技術を実現することができる。ＵＴＲＡおよびＥ−ＵＴＲＡは、ユニバーサル・モバイル・テレコミュニケーション・システム（ＵＭＴＳ）の一部である。３ＧＰＰロング・ターム・イボリューション（ＬＴＥ）は、Ｅ−ＵＴＲＡを使用するＵＭＴＳの最新リリースであり、ダウンリンクではＯＦＤＭＡを用い、アップリンクではＳＣ−ＦＤＭＡを用いる。ＵＴＲＡ、Ｅ−ＵＴＲＡ、ＵＭＴＳ、ＬＴＥ、およびＧＳＭは、「第３世代パートナシップ計画プロジェクト」（３ＧＰＰ）と命名された組織からのドキュメントに記述されている。それに加えて、ＣＤＭＡ２０００およびＵＭＢは、「第３世代パートナシップ計画２」（３ＧＰＰ２）と命名された機構からのドキュメントに記述されている。さらに、そのような無線通信システムは、アンペア（ｕｎｐａｉｒｅｄ）な無許可のスペクトルをしばしば用いるピア・トゥ・ピア（例えば、モバイル・トゥ・モバイル）アド・ホック・ネットワーク・システム、８０２．ｘｘ無線ＬＡＮ、Ｂｌｕｅｔｏｏｔｈ（登録商標）、および、その他任意の短距離または長距離の無線通信技術を含みうる。
【００２６】
シングル・キャリア周波数分割多元接続（ＳＣ−ＦＤＭＡ）は、シングル・キャリア変調および周波数ドメイン等値化を用いる。ＳＣ−ＦＤＭＡは、ＯＦＤＭＡシステムと類似の性能を有し、本質的に全体的に同等の複雑さを有する。ＳＣ−ＦＤＭＡ信号は、その固有のシングル・キャリア構造により、より低いピーク対平均電力比（ＰＡＰＲ）を有する。ＳＣ−ＦＤＭＡは、例えば、より低いＰＡＰＲが送信電力効率の観点からアクセス端末に非常に役立つアップリンク通信で使用されうる。したがって、ＳＣ−ＦＤＭＡは、３ＧＰＰロング・ターム・イボリューション（ＬＴＥ）すなわちイボルブドＵＴＲＡにおけるアップリンク多元接続性スキームとして実施されうる。
【００２７】
さらに、さまざまな実施形態は、本明細書において、アクセス端末に関して記載される。アクセス端末はまた、システム、加入者ユニット、加入者局、モバイル局、モバイル、遠隔局、遠隔端末、モバイル・デバイス、ユーザ端末、端末、無線通信デバイス、ユーザ・エージェント、ユーザ・デバイス、またはユーザ機器（ＵＥ）とも称されうる。アクセス端末は、セルラ電話、コードレス電話、セッション初期化プロトコル（ＳＩＰ）電話、ワイヤレス・ローカル・ループ（ＷＬＬ）局、携帯情報端末（ＰＤＡ）、無線接続機能を有するハンドヘルド・デバイス、コンピューティング・デバイス、あるいは無線モデムに接続されたその他の処理デバイスでありうる。さらに、本明細書では、さまざまな実施形態が、基地局に関連して記載される。基地局は、アクセス端末との通信のために利用することができ、アクセス・ポイント、ノードＢ、イボルブド・ノードＢ（ｅＮｏｄｅＢ、ｅＮＢ）、あるいはその他のいくつかの用語で称されうる。
【００２８】
さらに、用語「または」は、排他的な「または」ではなく、包括的な「または」を意味することが意図されている。すなわち、別に示されていない場合、あるいは、文脈から明らかではない場合、「ＸはＡまたはＢを適用する」という句は、自然な包括的な置き換えのうちの何れかを意味することが意図されている。すなわち、「ＸはＡまたはＢを使用する。」という句は、以下の例のうちの何れによっても満足される。ＸはＡを使用する。ＸはＢを使用する。あるいは、ＸはＡとＢとの両方を使用する。さらに、本願および特許請求の範囲で使用されているような冠詞“ａ”および“ａｎ”は、特に指定されていない場合、あるいは、単数を対象としていることが文脈から明らかではない場合、一般に、「１または複数」を意味するものと解釈されるべきである。
【００２９】
本明細書に記載されたさまざまな態様または特徴は、標準的なプログラミング技術および／またはエンジニアリング技術を用いた方法、装置、または製造物品として実現されうる。本明細書で使用される用語「製造物品」は、任意のコンピュータ読取可能デバイス、キャリア、または媒体からアクセスすることが可能なコンピュータ・プログラムを含むことが意図される。例えば、コンピュータ読取可能媒体は、限定される訳ではないが、磁気記憶装置（例えば、ハード・ディスク、フロッピー（登録商標）ディスク、磁気ストリップ等）、光ディスク（例えば、コンパクト・ディスク（ＣＤ）、ＤＶＤ等）、スマート・カード、およびフラッシュ・メモリ・デバイス（例えば、ＥＰＲＯＭ、カード、スティック、キー・ドライブ等）を含みうる。さらに、本明細書に記載されたさまざまな記憶媒体は、情報を格納するための１または複数のデバイス、および／または、その他の機械読取可能媒体を表すことができる。用語「機械読取可能媒体」は、限定されることなく、無線チャネル、および、命令群および／またはデータを格納、包含、および／または搬送することができるその他任意の媒体を含みうる。
【００３０】
図１に示すように、本明細書に示されたさまざまな実施形態にしたがう無線通信システム１００が例示されている。システム１００は、複数のアンテナ・グループを含むことができる基地局１０２を含む。例えば、１つのアンテナ・グループは、アンテナ１０４およびアンテナ１０６を含むことができ、別のグループはアンテナ１０８およびアンテナ１１０を備えることができ、さらに別のグループはアンテナ１１２およびアンテナ１１４を含むことができる。おのおののアンテナ・グループについて２本のアンテナしか例示されていないが、２本より多いアンテナ、または２本より少ないアンテナも、各グループのために利用されうる。基地局１０２はさらに、送信機チェーンおよび受信機チェーンを含みうる。それらおのおのは、当業者によって理解されるように、信号の送信および受信に関連する複数の構成要素（例えば、プロセッサ、変調器、マルチプレクサ、復調器、デマルチプレクサ、アンテナ等）を備えうる。
【００３１】
基地局１０２は、アクセス端末１１６およびアクセス端末１２２のような１または複数のアクセス端末と通信しうる。しかしながら、基地局１０２は、アクセス端末１１６、１２２に類似の実質的に任意の数のアクセス端末と通信しうることが認識されるべきである。アクセス端末１１６およびアクセス端末１２２は、例えば、セルラ電話、スマート・フォン、ラップトップ、ハンドヘルド通信デバイス、ハンドヘルド・コンピューティング・デバイス、衛星ラジオ、全地球測位システム、ＰＤＡ、および／または、無線通信システム１００による通信に適したその他任意のデバイスでありうる。図示するように、アクセス端末１１６は、アンテナ１１２、１１４と通信しており、ここでは、アンテナ１１２およびアンテナ１１４が、順方向リンク１１８によってアクセス端末１１６へ情報を送信し、逆方向リンク１２０によってアクセス端末１１６から情報を受信する。さらに、アクセス端末１２２は、アンテナ１０４、１０６と通信しており、ここでは、アンテナ１０４およびアンテナ１０６が、順方向リンク１２４によってアクセス端末１２２へ情報を送信し、逆方向リンク１２６によってアクセス端末１２２から情報を受信する。周波数分割デュプレクス（ＦＤＤ）システムでは、例えば、順方向リンク１１８は、逆方向リンク１２０によって使用されるものとは異なる周波数帯域を使用し、順方向リンク１２４は、逆方向リンク１２６によって使用されるものとは異なる周波数帯域を使用することができる。さらに、時分割デュプレクス（ＴＤＤ）システムでは、順方向リンク１１８および逆方向リンク１２０は、共通の周波数帯域を使用し、順方向リンク１２４および逆方向リンク１２６は、共通の周波数帯域を使用することができる。
【００３２】
通信するように指定された領域および／またはアンテナのおのおののグループは、基地局１０２のセクタと称されうる。例えば、基地局１０２によってカバーされる領域のセクタ内のアクセス端末に通信するように、複数のアンテナが設計されうる。順方向リンク１１８および順方向リンク１２４による通信では、基地局１０２の送信アンテナは、アクセス端末１１６およびアクセス端末１２２のための順方向リンク１１８および順方向リンク１２４の信号対雑音比を改善するためにビームフォーミングを適用することができる。また、基地局１０２が、関連付けられた有効通信範囲にランダムに散在したアクセス端末１１６、１２２に送信するためにビームフォーミングを利用している間、近隣セル内のモバイル・デバイスは、すべてのアクセス端末に対して単一のアンテナによって送信している基地局に比べて、少ない干渉しか被らない。
【００３３】
システム１００では、ランダム・アクセス手順が利用されうる。例えば、ランダム・アクセス手順は、初期アクセス、基地局１０２へおよび／または基地局１０２からのハンドオーバ、タイミング同期（例えば、非同期モードからの再エントリ）等のためにアクセス端末１１６、１２２によって使用されうる。ランダム・アクセス手順は、一般に、アクセス端末（例えば、アクセス端末１１６、アクセス端末１２２）によるアップリンクでの基地局１０２へのランダム・アクセス・プリアンブル（例えば、メッセージ１）の送信、受信したランダム・アクセス・プリアンブルに基づく基地局１０２からアクセス端末へのダウンリンクでのランダム・アクセス応答（例えば、メッセージ２）の送信、ランダム・アクセス応答によって許可されたスケジュールされた送信（例えば、メッセージ３）の、アクセス端末から基地局１０２へのアップリンクでの送信、および、基地局１０２からアクセス端末へのダウンリンクによる競合解決メッセージ（例えば、メッセージ４）の送信、を含む。本明細書で使用されるように、用語「メッセージ３」は、基地局１０２からのランダム・アクセス応答によって許可されたような、アクセス端末から基地局１０２へ送信されたスケジュールされた送信を称する。
【００３４】
従来、無線通信環境では、データの送信および受信のために、１ミリ秒の送信期間（ＴＴＩ）が使用されている。したがって、前述したランダム・アクセス手順の場合、特定のランダム・アクセス・チャネル（ＲＡＣＨ）送信のために、１ミリ秒のＴＴＩが一般に使用される。したがって、一般に、スケジュールされた送信（例えば、メッセージ３）のために、１ミリ秒のＴＴＩが使用される。さらに、１ミリ秒のＴＴＩは、８０ビットのペイロード・サイズをサポートしうる。しかしながら、ランダム・アクセス手順によって基地局との接続をセットアップする場合、アクセス端末は、しばしば、受信したランダム・アクセス応答に応答して、８０ビットよりも多くの情報を送信しうる。したがって、アクセス端末は、一般に、スケジュールされた送信（例えば、メッセージ３）のペイロード・サイズを超える量の情報を送信し、その結果、その後（例えば、基地局１０２から競合解決メッセージを受信した後）、追加のアップリンク送信が、基地局１０２へ送られる。したがって、従来の技術は、しばしば、ランダム・アクセス手順を有効にする場合、接続を確立する際に遅れをもたらす。
【００３５】
それに対して、システム１００は、スケジュールされた送信の従来のペイロード・サイズに関連付けられたインパクトを低減するため（例えば、８０ビットの制限を緩和するため）に、ＴＴＩバンドリングを利用する。おのおののＴＴＩは、例えば、ラジオ・フレームに含まれるサブフレームに相当しうる。例えば、システム１００は、複数のＴＴＩが、スケジュールされた送信のためにバンドルされることを可能にしうる。さらに、バンドルされた複数のＴＴＩを用いて、スケジュールされた送信のペイロードが、共通の伝送ブロック（ＴＢ）内で、アクセス端末（例えば、アクセス端末１１６、アクセス端末１２２）から基地局へと送信されうる。スケジュールされた送信のためのアップリンク・ペイロード・サイズを増加させるためにＴＴＩをバンドルすることによって、接続確立の処理速度が増加されうる。
【００３６】
図２に示すように、無線通信環境におけるランダム・アクセス手順のために、送信期間（ＴＴＩ）バンドリングを利用するシステム２００が例示されている。システム２００は、情報、信号、データ、命令、コマンド、ビット、シンボル等を送信および／または受信しうるアクセス端末２０２を含む。アクセス端末２０２は、順方向リンクおよび／または逆方向リンクを介して基地局２０４と通信しうる。基地局２０４は、情報、信号、データ、命令、コマンド、ビット、シンボル等を送信および／または受信しうる。図示されていないが、システム２００は、アクセス端末２０２に類似した任意の数のアクセス端末、および／または、基地局２０４に類似した任意の数の基地局を含みうることが考慮される。さらに、システム２００は、例えば、移動管理エンティティ（ＭＭＥ）のように、コア・ネットワークに関連付けられたその他さまざまな（図示しない）構成要素を含みうることが認識されるべきである。例示によれば、システム２００は、ロング・ターム・イボリューション（ＬＴＥ）ベースのシステムになり得る。しかしながら、権利主張された主題は、それには限定されない。
【００３７】
アクセス端末２０２および基地局２０４は、ランダム・アクセス手順の一部としてメッセージを交換しうる。ランダム・アクセス手順を有効にするために、アクセス端末２０２は、プリアンブル生成構成要素２０６、スケジュール送信構成要素２０８、およびバンドリング構成要素２１０を含みうる。さらに、基地局２０４は、応答生成構成要素２１２、競合解決構成要素２１４、およびアップリンク・バンドリング制御構成要素２１６を含みうる。
【００３８】
プリアンブル生成構成要素２０６は、アクセス端末２０２によってアップリンクで基地局２０４へと送信されうるランダム・アクセス・プリアンブル（例えば、メッセージ１）を生成しうる。プリアンブル生成構成要素２０６は、ランダム・アクセス手順を開始するために、ランダム・アクセス・プリアンブルを送信しうる。例えば、ランダム・アクセス手順は、システムへの初期アクセス、ソース基地局からターゲット基地局（例えば、基地局２０４）へのハンドオーバ等のために使用されうる。しかしながら、権利主張される主題は、これらに限定されない。
【００３９】
プリアンブル生成構成要素２０６は（例えば、アクセス端末２０２が、送信するデータを有する場合、アクセス端末２０２がページされた場合、アクセス端末２０２が、ソース基地局から、ターゲット基地局である基地局２０４へ移行するハンドオーバ・コマンドを受信した場合）、アクセス端末２０２に対して、基地局２０４との接続を開始させるためのランダム・アクセス・プリアンブルをアップリンクで送信しうる。ランダム・アクセス・プリアンブルはまた、アクセス要求、アクセス・シグネチャ、アクセス・プローブ、ランダム・アクセス・プローブ、シグネチャ・シーケンス、ランダム・アクセス・チャネル（ＲＡＣＨ）シグネチャ・シーケンス等とも称されうる。ランダム・アクセス・プリアンブルは、さまざまなタイプの情報を含むことができ、さまざまな方式で送信されうる。例えば、ランダム・アクセス・プリアンブルは、物理ランダム・アクセス・チャネル（ＰＲＡＣＨ）によって送信されうる。しかしながら、権利主張された主題は、それらに限定されない。
【００４０】
基地局２０４は、ランダム・アクセス・プリアンブルを受信し、応答生成構成要素２１２が、ランダム・アクセス応答（例えば、メッセージ２）をアクセス端末２０２へ送信することによって応答しうる。ランダム・アクセス応答はまた、アクセス許可、アクセス応答等とも称されうる。ランダム・アクセス応答は、さまざまなタイプの情報を伝送することができ、さまざまな方式で送信されうる。例えば、ランダム・アクセス応答は、タイミング同調、初期アップリンク許可、テンポラリなラジオ・ネットワーク・テンポラリ識別子（ＲＮＴＩ）の割当等に関連する情報を提供しうる。例によれば、応答生成構成要素２１２によって生成されたランダム・アクセス応答は、スケジュールされた送信（例えば、メッセージ３）のためにアクセス端末２０２によって使用されうるリソースを識別するインジケーションを含みうる。
【００４１】
アクセス端末２０２は、基地局２０４の応答生成構成要素２１２によって送信されたランダム・アクセス応答を受信しうる。ランダム・アクセス応答は、アクセス端末２０２によって使用されるべきアップリンク・リソースを許可しうる。さらに、アクセス端末２０２のスケジュール送信構成要素２０８は、ランダム・アクセス応答において、アクセス端末２０２へ許可されたアップリンク・リソースを認識しうる。その後、スケジュール送信構成要素２０８は、アクセス端末２０２から基地局２０４へ送信されうるスケジュールされた送信（例えば、メッセージ３）を生成しうる。例えば、スケジュールされた送信は、アクセス端末２０２に関連付けられたアイデンティティを伝送しうる。しかしながら、権利主張される主題は、これらに限定されない。スケジュールされた送信は、ランダム・アクセス手順の一部として、アクセス端末２０２から基地局２０４への第１のアップリンク共有チャネル（ＵＬ−ＳＣＨ）送信でありうる。
【００４２】
基地局２０４は、アクセス端末２０２から送られたスケジュールされた送信を受信しうる。これに応答して、競合解決構成要素２１４は、競合解決メッセージ（例えば、メッセージ４）をアクセス端末２０２へ送信しうる。競合解決メッセージは、ランダム・アクセス手順の終了を示しうる。したがって、アクセス端末２０２は、競合解決メッセージを受信し、競合ベースのランダム・アクセスの終了を認識しうる（例えば、競合が解決される）。
【００４３】
さらに、アクセス端末２０２のバンドリング構成要素２１０は、スケジュールされた送信の基地局２０４への転送に関連してスケジュール送信構成要素２０８によって使用される複数のＴＴＩをバンドルしうる。例えば、バンドリング構成要素２１０は、複数のＴＴＩをバンドルするかを認識しうる。さらに、スケジュールされた送信のためにＴＴＩバンドリングがサポートされていることをバンドリング構成要素２１０が認識した場合、スケジュール送信構成要素２０８は、バンドルされた複数のＴＴＩを用いて、共通の伝送ブロック（ＴＢ）内で、スケジュールされた送信のペイロードを基地局２０４へ送信しうる。
【００４４】
アップリンク・バンドリング制御構成要素２１６は、スケジュールされた送信（例えば、メッセージ３）に関連する使用のために、基地局２０４がＴＴＩバンドリングをサポートするかを管理しうる。例えば、アップリンク・バンドリング制御構成要素２１６は、ＴＴＩバンドリングが、ネットワーク毎ベースで、基地局毎ベースで、あるいはアクセス端末毎ベースでサポートされているかを制御しうる。したがって、例によれば、ＴＴＩバンドリングは、ＬＴＥシステムに含まれる基地局のセットによって、ＬＴＥシステムにわたって使用されうる。これは、アップリンク・バンドリング制御構成要素２１６によって、および、ＬＴＥシステムの別の基地局（図示せず）の同様なアップリンク・バンドリング制御構成要素（図示せず）によって実現されうる。別の例によれば、ＴＴＩバンドリングが、基地局２０４によって、基地局毎ベースでサポートされるかを、アップリンク・バンドリング制御構成要素２１６が指示しうる（例えば、ランダム・アクセスによって基地局２０４への接続を試みる、アクセス端末２０２を含むアクセス端末のセットによってＴＴＩバンドリングが利用されるべきかを識別し、共通のシステム内の異なる基地局も同様に、ＴＴＩバンドリングがサポートされるか否かを制御しうる）。別の例によれば、アップリンク・バンドリング制御構成要素２１６は、特定のアクセス端末がＴＴＩバンドリングを適用するかを管理しうる。したがって、ＴＴＩバンドリングを用いるために、アップリンク・バンドリング制御構成要素２１６によって、第１のアクセス端末が管理されうる。一方、ＴＴＩバンドリングを適用しないように、アップリンク・バンドリング制御構成要素２１６によって、第２のアクセス端末が管理されうる。それに加えて、あるいは、その代わりに、バンドリング構成要素２１０（または一般にアクセス端末２０２）は、スケジュール送信構成要素２０８がＴＴＩバンドリングを利用するかを制御しうることが考慮される。しかしながら、権利主張される主題は、前述した例に限定されないことが認識されるべきである。
【００４５】
バンドリング構成要素２１０が、基地局２０４がＴＴＩバンドリングをサポートするかを認識するか、および／または、アップリンク・バンドリング制御構成要素２１６が、基地局２０４がＴＴＩバンドリングをサポートするかを管理しうる。したがって、アクセス端末２０２と基地局２０４との間の理解は、アクセス端末２０２によって（例えば、スケジュールされた送信構成要素２０８によって）送信された、スケジュールされた送信（例えば、メッセージ３）のために利用されうるリソースに関連して存在しうる。前述した理解に達する技術を例示するさまざまな例が以下に記載されるが、権利主張される主題は、上記理解を、実質的に任意の方式で行うことを考慮する。
【００４６】
例によれば、ＴＴＩバンドリングは、（例えば、ネットワ−ク毎ベースでのＬＴＥシステムである）ネットワーク内のすべて（またはほとんどの）基地局によって利用されうる。したがって、アップリンク・バンドリング制御構成要素２１６は、アクセス端末２０２（および／または、（図示しない）他の任意のアクセス端末）に対して、ＴＴＩバンドリングを適用するように指示しうる。さらに、ネットワーク内の別の基地局（単数または複数）の類似のアップリンク・バンドリング制御構成要素（単数または複数）も同様に、ＴＴＩが実施されるべきことを示しうる。さらに、バンドリング構成要素２１０は、受信したインジケーションに基づいて、適用されるべきＴＴＩバンドリングを識別しうる。さらに、ネットワーク内の基地局（単数または複数）は、ネットワークにわたるすべて（またはほとんど）の基地局（単数または複数）によってＴＴＩバンドリングがサポートされていることをアクセス端末（単数または複数）へ（例えば、オーバ・ザ・エアによって）示す必要はないことが考慮されるべきである。むしろ、ネットワークにおいてＴＴＩバンドリングが利用されていることを指定する、アクセス端末（単数または複数）等に関連付けられたメモリに保持された、予め定義された命令群が、アクセス端末（単数または複数）へ提供されうる。したがって、バンドリング構成要素２１０は、対応するネットワークで動作する場合、複数のＴＴＩをバンドルするために、この予め定義された命令群を適用しうる。
【００４７】
別の例によれば、アクセス端末２０２は、アップリンク帯域幅に応じて、複数のＴＴＩを選択的にバンドルしうる。したがって、バンドリング構成要素２１０は、アップリンク帯域幅が、しきい値（例えば、５ＭＨｚ、５ＭＨｚよりも大きなしきい値、５ＭＨｚよりも小さなしきい値）以下である場合、スケジュール送信構成要素２０８による利用のために、複数のＴＴＩをバンドルしうる。さらに、バンドリング構成要素２１０は、アップリンクしきい値が、しきい値よりも大きい場合、ＴＴＩバンドリングを適用する必要はない。例えば、１．２５ＭＨｚ、３ＭＨｚ、または５ＭＨｚのアップリンク帯域幅が適用される場合、スケジュールされた送信のためのＴＴＩバンドリングが利用されうる。しかしながら、５ＭＨｚよりも大きなアップリンク帯域幅が利用されている場合、ＴＴＩバンドリングを利用する必要はない。しかしながら、権利主張される主題は、それに限定されない。
【００４８】
さらなる例によれば、基地局２０４は、インタラクトしているアクセス端末（単数または複数）のために、ＴＴＩバンドリングをサポートしうる。この例によれば、アップリンク・バンドリング制御構成要素２１６は、ＴＴＩバンドリングを適用するか否かを区別するインジケータを含むブロードキャスト・メッセージを送信しうる（例えば、ＴＴＩバンドリングがサポートされているかが、基地局毎に示されうる）。例えば、アップリンク・バンドリング制御構成要素２１６は、基地局２０４が、スケジュールされた送信（例えば、メッセージ３送信）のためのＴＴＩバンドリングをサポートするかを識別するフラグを、システム情報で送信しうる。このフラグは、システム情報メッセージに含まれる１ビットのＯＮ／ＯＦＦインジケーションでありうる。しかしながら、権利主張された主題は、それには限定されない。したがって、バンドリング構成要素２１０は、スケジュールされた送信のために複数のＴＴＩをバンドルするかを区別するインジケータを含むブロードキャスト・メッセージを受信しうる。さらに、バンドリング構成要素２１０は、ブロードキャスト・メッセージに含まれるインジケータに基づいて、複数のＴＴＩをバンドルするかを認識しうる。
【００４９】
別の例によれば、ＴＴＩバンドリングの使用は、アクセス端末毎に制御されうる。したがって、アップリンク・バンドリング制御構成要素２１６は、応答生成構成要素２１２に対して、ランダム・アクセス応答に応答して、アクセス端末２０２が、送信されるべき対応するスケジュールされた送信のためにＴＴＩバンドリングを使用すべきかを指定するインジケータをランダム・アクセス応答（例えば、メッセージ２）に含めさせる。ランダム・アクセス応答は、スケジュールされた送信のためにアクセス端末２０２によって利用されるべきリソースを割り当てる。さらに、ＴＴＩバンドリングがアクセス端末２０２によって利用されるかを（例えば、ランダム・アクセス応答に含まれる１ビットのＯＮ／ＯＦＦインジケーションによって）識別しうる。したがって、バンドリング構成要素２１０は、ランダム・アクセス応答に含まれ、複数のＴＴＩをバンドルするかを識別するインジケータを評価しうる。さらに、バンドリング構成要素２１０は、ランダム・アクセス・シーケンスに含まれるインジケータに応じて、複数のＴＴＩをバンドルするかを選択しうる。
【００５０】
さらなる例示によれば、周波数分割デュプレクス（ＦＤＤ）システムにおいて、複数のＴＴＩがバンドルされうる。そして、このシステムにおいて、アップリンク・リソースは、連続しているので、ＦＤＤシステムにおいてＴＴＩバンドリングが使用されうるか否かについて制約が課せられる必要はない。さらに、（例えば、前述したＴＤＤ設定は、バンドルされうる連続したアップリンク・サブフレームを提供しうるので）設定０、設定１、または設定６のうちの１つを適用する時分割デュプレクス（ＴＤＤ）システムにおいて、複数のＴＴＩがバンドルされうる。したがって、ＴＤＤシステムにおける設定のサブセットは、ＴＴＩバンドリングを適用することをサポートしうる。
【００５１】
バンドリング構成要素２１０によって実施されるＴＴＩバンドリングによって、アクセス端末２０２（例えば、スケジュール送信構成要素２０８）は、より長い期間にわたる送信が可能となる。複数の連続するＴＴＩが、バンドリング構成要素２１０によってともにバンドルされうる。さらに、単一の伝送ブロックが、スケジュール送信構成要素２０８によって、バンドルされた連続したＴＴＩのセットを用いて符号化および送信されうる。バンドルされたＴＴＩは、単一のリソースとして取り扱われ、ここでは、送信をスケジュールするために、基地局（例えば、応答生成構成要素２１２）から受信した単一の許可（例えば、ランダム・アクセス応答に含まれるレイヤ１／レイヤ２（Ｌ１／Ｌ２）許可）が使用される。さらに、この送信に応答して、基地局２０４によって、単一のアクノレッジメントが送信されうる。しかしながら、権利主張された主題は、それらに限定されない。ＴＴＩバンドリングは、時間ダイバーシティを与え、スケジュールされた送信（例えば、メッセージ３送信）のために使用されるリソースを増やし、（例えば、アップリンク電力は、異なる時間領域リソースにあるので）スケジュールされた送信のためにアクセス端末２０２が使用できる有効電力を増やしうる。
【００５２】
スケジュールされた送信（例えば、メッセージ３）のためのより大きな伝送ブロック（ＴＢ）サイズを提供するために、小さな帯域幅のシステムのためにさえも、ＴＴＩバンドリングは、スケジュールされた送信のために導入される最小のＴＢサイズを上げることができる。例えば、バンドリング無しでは（例えば、１．５ＭＨｚのアップリンク帯域幅をもつ１ミリ秒のＴＴＩを仮定すると）、スケジュールされた送信のために８０ビットが提供されうる。したがって、比較的小さなサイズを持つＴＢ（例えば、スケジュールされた送信が送られるリソース）によって、シグナリングを完了させることに関して、さまざまな問題を引き起こしうる。対照的に、システム２００がＴＴＩバンドリングを適用する場合、スケジュールされた送信のために、最大３２０ビットが提供されうる。さらに詳しくは、ＴＴＩバンドリングが実施される場合、バンドリング構成要素２１０は、４つのＴＴＩを共にバンドリングしうる。そして、スケジュールされた送信を基地局２０４へ送るために、４つのバンドルされたＴＴＩが、スケジュール送信構成要素２０８によって使用されうる。例えば、４つの連続するＴＴＩがバンドルされ、スケジュール送信構成要素２０８によって使用されるリソースが増加されうる。しかし、任意の異なる数のＴＴＩ（例えば、予め設定された数のＴＴＩ、動的に選択された数のＴＴＩ）が、バンドリング構成要素２１０によって結合されうることが考慮されるので、権利主張される主題は、それに限定されないことが認識されるべきである。したがって、バンドリングが使用される場合、スケジュールされた送信は、８０ビットより多くをサポートしうることが仮定されうる。さらに、バンドリングが実施された場合、スケジュールされた送信のために３２０ビットが可能となりうる一方、これらビットのサブセットは使用される必要はない。例えば、バンドリングが適用された場合、スケジュール送信構成要素２０８によってスケジュールされた送信を送るために、２００ビットが使用されうる。しかしながら、権利主張された主題は、それらに限定されない。
【００５３】
例によれば、ＴＴＩバンドリングは、アクセス端末２０２からネットワークへの接続（例えば、ネットワークへの初期アクセス）を確立するたに使用されるランダム・アクセス手順で導入されうる。したがって、アクセス端末２０２は、基地局２０４（例えば、サービス提供基地局）とのラジオ・リソース制御（ＲＲＣ）接続を確立しうる。ＲＲＣ接続は、アクセス端末２０２と基地局２０４との間のラジオ・レベル接続である。さらに、そのようなネットワーク接続の確立の一部として、非アクセス階層（ＮＡＳ：Non-Access Stratum）シグナリングが適用されうる。ＮＡＳシグナリングは、例えば移動管理エンティティ（ＭＭＥ）のようなネットワーク・ノードとアクセス端末２０２との間の接続を生成するために使用されうる。したがって、バンドルされた複数のＴＴＩを用い、スケジュール送信構成要素２０８によって送信された、スケジュールされた送信のペイロードは、ＲＲＣ接続要求に関連する情報と、ＮＡＳプロトコル・データ・ユニット（ＰＤＵ）とを伝送しうる。例えば、ＮＡＳ  ＰＤＵは、ＮＡＳサービス要求でありうる。しかしながら、権利主張された主題は、それには限定されない。
【００５４】
さらなる例によれば、接続再確立のため、ランダム・アクセス手順（例えば、ＲＲＣ接続再確立手順）において、ＴＴＩバンドリングが使用されうる。したがって、アクセス端末２０２は、ソース基地局に接続され、その後、ターゲット基地局（例えば、基地局２０４）へのハンドオフのために、ランダム・アクセス手順を利用しうる。したがって、例えば、バンドルされた複数のＴＴＩを用いて、スケジュール送信構成要素２０８によって送られた、スケジュールされた送信のペイロードは、ＲＲＣ接続再確立メッセージのためのメッセージ認証コード・インテグリティ（ＭＡＣ−Ｉ）に関連する情報を伝送しうる。
【００５５】
図３を参照して、ＴＴＩバンドリングを用いることなく実施されるランダム・アクセス手順のためのコール・フロー図３００の例が示される。このコール・フロー図３００は、ネットワークへの接続（例えば、初期アクセス）を確立するために使用されうる。このランダム・アクセス手順は、アクセス端末（例えば図２のアクセス端末２０２）と、サービス提供基地局（例えば、図２の基地局２０４）との間で有効とされうる。さらに、サービス提供基地局は、ＭＭＥ（例えば、コア・ネットワーク）と通信しうる。
【００５６】
３０２では、アクセス端末が、サービス提供基地局へランダム・アクセス・プリアンブルを送信しうる。このランダム・アクセス・プリアンブルは、メッセージ１と称されうる。３０４では、サービス提供基地局が、アクセス端末へランダム・アクセス応答を送信しうる。このランダム・アクセス応答は、メッセージ２と称されうる。このランダム・アクセス応答は、ＲＲＣ接続要求の送信のために使用されうるリソース（単数またな複数）を示すインジケーションを含みうる。これは、メッセージ３（例えば、スケジュールされた送信）と称されうる。３０６では、アクセス端末が、ランダム・アクセス応答によって提供された許可にしたがって、サービス提供基地局へＲＲＣ接続要求を送信しうる。３０８では、競合解決メッセージが、サービス提供基地局からアクセス端末へと送信されうる。競合解決メッセージは、メッセージ４と称されうる。競合解決メッセージは、例えば、媒体アクセス制御（ＭＡＣ）制御要素（例えば、競合解決識別情報）およびＲＲＣ接続セットアップ・メッセージを含みうる。さらに、競合解決メッセージは、競合の終了を示しうる（例えば、競合は、その時点において解決されうる）。しかしながら、メッセージ３のペイロード・サイズが制限されていることによって、アクセス端末は、サービス提供基地局へ送信するための追加情報（例えば、メッセージ３のペイロードのサイズ制限によって、ＲＲＣ接続要求とともに送信されることができない情報）を有しうる。したがって、３１０では、アクセス端末は、ＲＲＣ接続セットアップ完了メッセージおよび非アクセス階層（ＮＡＳ）サービス要求を、サービス提供基地局へ送信しうる。３１２では、サービス提供基地局が、ＭＭＥへ、初期アクセス端末メッセージを送信しうる。３１４では、ＭＭＥが、初期コンテキスト・セットアップ要求を、サービス提供基地局へ送信しうる。３１６では、ＲＲＣ接続再設定メッセージが、サービス提供基地局からアクセス端末へと送信されうる。
【００５７】
ネットワークへの接続を確立する場合、アクセス階層（ＡＳ：Access Stratum）および非アクセス階層（ＮＡＳ）両方のシグナリングが適用されうる。例えば、アクセス端末とコア・ネットワーク（例えば、ＭＭＥ、別のネットワーク・ノード（単数または複数））との間の接続を生成するためにＮＡＳシグナリングが使用される一方、アクセス端末とサービス提供基地局との間の接続を生成するために、ＡＳシグナリングが利用されうる。例示された例によれば、ＴＴＩバンドリングが適用されないので、（例えば、ＲＲＣ接続要求に関連付けられたメッセージ３のような）スケジュールされた送信のサイズが制限されうる。したがって、３０６では、アクセス端末が、ＮＡＳプロトコル・データ・ユニット（ＰＤＵ）（例えば、ＮＡＳサービス要求）無しで、ＲＲＣ接続要求を送信しうる。むしろ、アクセス端末は、３０８において、ＲＲＣ接続セットアップ・メッセージの受信を待つ。これは、後続するアップリンク送信が、サービス提供基地局へ送信されうることをアクセス端末に示しうる。さらに、ＲＲＣ接続セットアップ・メッセージに含まれるインジケーションに基づいて、アクセス端末は、後続するアップリンク送信において、ＮＡＳ  ＰＤＵ（例えば、ＮＡＳサービス要求）および／またはＲＲＣ接続セットアップ完了メッセージを送信しうる。したがって、（例えば、メッセージ３のような）スケジュールされた送信のペイロードのサイズが制限されている結果として、２つの（あるいはそれより多くの）個別のメッセージが、アクセス端末からサービス提供基地局へと送信されうる。さらに、サービス提供基地局は、ＭＭＥ（例えば、コア・ネットワーク）との接続を開始するために、ＮＡＳ  ＰＤＵ（例えば、ＮＡＳサービス要求）を利用する。したがって、ＮＡＳ  ＰＤＵの送信が（例えば、メッセージ３以降の送信まで）遅れるので、コア・ネットワークへの接続を生成することが遅れる。さらに、スケジュールされた送信のペイロードのサイズが制限されていることによって、ＲＲＣ接続要求メッセージにおけるテンポラリ移動局アイデンティティ（ＴＭＳＩ）／ランダムＩＤの４０ビットをどのようにして区別するかに関連する問題が生じる。
【００５８】
図４に移って、ＴＴＩバンドリングを利用することを含むランダム・アクセス手順のためのコール・フロー図４００の例が示される。図３に示す例と同様に、コール・フロー図４００の例は、ネットワークへの接続（例えば、初期アクセス）を確立することに相当しうる。しかし、図３における前述した例とは対照的に、コール・フロー図４００に図示される例では、ＴＴＩバンドリングが導入されうる。
【００５９】
４０２では、アクセス端末が、サービス提供基地局へランダム・アクセス・プリアンブルを送信しうる。４０４では、サービス提供基地局が、アクセス端末へランダム・アクセス応答を送信しうる。４０６では、アクセス端末が、ＲＲＣ接続要求およびＮＡＳ  ＰＤＵ（例えば、ＮＡＳサービス要求）を送信しうる。ＲＲＣ接続要求は、（例えば、メッセージ３のために）バンドルされた複数のＴＴＩを用いて、ＮＡＳ  ＰＤＵ（例えば、ＮＡＳサービス要求）とともに送信されうる。ＴＴＩバンドリングが本明細書に記載されるように利用される場合、メッセージ３のペイロードが増加するので、ＲＲＣ接続要求およびＮＡＳ  ＰＤＵ（例えば、ＮＡＳサービス要求）が共に送信されうる。さらに、サービス提供基地局は、ＭＭＥとの接続の確立をトリガするために、ＮＡＳ  ＰＤＵ（例えば、ＮＡＳサービス要求）と共に提供される情報を利用しうる。したがって、ＴＴＩバンドリングが実施された場合、ＮＡＳ  ＰＤＵを伝送する個別の送信は、ＲＲＣ接続確立手順において適用される必要は無く、コア・ネットワークとの接続の確立は、メッセージ３のためにＴＴＩバンドリングを導入できなかった技術と比べて、少ない遅延で開始される。
【００６０】
さらに、４０８では、サービス提供基地局からアクセス端末へと、（例えば、競合を終了させるための）競合解決メッセージが送信されうる。例えば、競合解決メッセージは、ＭＡＣ制御要素（例えば、競合解決識別情報）およびＲＲＣ接続セットアップ・メッセージを含みうる。４１０では、サービス提供基地局が、（例えば、メッセージ３の後、アクセス端末からのアップリンク送信を取得することを待つことなく）ＭＭＥへ初期アクセス端末メッセージを送信しうる。４１２では、ＭＭＥが、初期コンテキスト・セットアップ要求をサービス提供基地局へ送信しうる。４１４では、サービス提供基地局が、ＲＲＣ接続再設定メッセージをアクセス端末へ送信しうる。
【００６１】
図５に示すように、ＲＲＣ接続再確立のために利用されるランダム・アクセス手順のコール・フロー図５００の例が示される。このコール・フロー図５００は、ＴＴＩバンドリングが実施される例を示す。ランダム・アクセス手順は、アクセス端末がハンドオフを開始しているターゲット基地局（例えば、図２の基地局２０４）と、アクセス端末（例えば、図２のアクセス端末２０２）との間で有効とされうる。さらに、ターゲット基地局は、ソース基地局と通信しうる（例えば、アクセス端末は、ソース基地局からハンドオフされうる）。ＮＡＳシグナリングは、ＲＲＣ接続再確立に関連して有効とされうる。
【００６２】
５０２では、ランダム・アクセス・プリアンブルが、アクセス端末からターゲット基地局へと送信されうる。５０４では、ランダム・アクセス応答が、ターゲット基地局からアクセス端末へ送信されうる。５０６では、ＲＲＣ接続再確立要求（例えば、メッセージ３、スケジュールされた送信）が、アクセス端末からターゲット基地局へ送信されうる。ＲＲＣ接続再確立要求は、正常なメッセージ認証コード・インテグリティ（ＭＡＣ−Ｉ）を伝送しうる。ＲＲＣ接続再確立要求が、バンドルされた複数のＴＴＩを用いて送信されうる。一方、メッセージ３のために単一のＴＴＩが使用される場合、通常のＭＡＣ−Ｉ（例えば３２ビット）ではなく、短いＭＡＣ−Ｉ（例えば１６ビット）が、ＲＲＣ接続再確立要求において符号化されうる。したがって、図示された例では、ＴＴＩバンドリングによって、メッセージ３のサイズを増加させることが可能となる。メッセージ３のサイズを増加させることによって、アクセス端末によって、ターゲット基地局へと、短い（例えば、カットされた）ＭＡＣ−Ｉではなく、通常のＭＡＣ−Ｉが提供されうる。５０８では、ターゲット基地局が、ソース基地局へと、情報要求を送信しうる。５１０では、ソース基地局が、この情報要求に対する応答をターゲット基地局へ送信しうる。５１２では、ターゲット基地局が、アクセス端末へ競合解決メッセージを送信しうる。
【００６３】
図６および図７に示すように、無線通信環境において、ランダム・アクセス手順においてＴＴＩバンドリングを適用することに関連する方法が例示される。説明を単純にする目的で、これら方法は、一連の動作として示され説明されているが、これら方法は、１または複数の実施形態にしたがって、幾つかの動作が本明細書で示され記載されたものとは異なる順序で、あるいは他の動作と同時に生じうるので、動作の順序によって限定されないことが理解され認識されるべきである。例えば、当業者であれば、これら方法はその代わりに、例えば状態図におけるように、一連の相互関連する状態またはイベントとして表されうることを理解し認識するだろう。さらに、１または複数の実施形態にしたがって方法を実現するために、必ずしも例示された全ての動作が必要とされる訳ではない。
【００６４】
図６を参照して、無線通信環境において、ランダム・アクセスを実行することを容易にする方法６００が例示される。６０２では、ランダム・アクセス・プリアンブルが基地局へ送信されうる。このランダム・アクセス・プリアンブルは、アクセス端末から送信されうる。６０４では、ランダム・アクセス・プリアンブルに応答して、基地局からのランダム・アクセス応答が受信されうる。
【００６５】
６０６では、スケジュールされた送信のために、複数の送信期間（ＴＴＩ）がバンドルされうる。さらに、これら複数のＴＴＩをバンドルするべきかを、アクセス端末が識別しうる。例によれば、バンドルされるべき複数のＴＴＩは、予め定義されうる（例えば、ネットワークで送られたスケジュールされた送信が、ＴＴＩバンドリングを適用し、バンドリングは、ネットワーク毎ベースで制御されうる）。別の例によれば、複数のＴＴＩが、アップリンク帯域幅に応じて、選択的にバンドルされうる。したがって、この例によれば、アップリンク帯域幅がしきい値（例えば、５ＭＨｚ）以下である場合、複数のＴＴＩがバンドルされうる。さらなる例によれば、複数のＴＴＩをバンドルするかを区別するインジケータを含むブロードキャスト・メッセージが、基地局から受信されうる。したがって、アクセス端末は、このブロードキャスト・メッセージに含まれるインジケータに基づいて、複数のＴＴＩをバンドルするかを認識しうる。例えば、ブロードキャスト・メッセージは、基地局によって送信されたシステム情報メッセージでありうる（例えば、バンドリングは、基地局毎ベースで制御されうる）。他の例によれば、複数のＴＴＩをバンドルするかを識別する、ランダム・アクセス応答に含まれるインジケータが評価されうる。この例によれば、アクセス端末は、ランダム・アクセス応答に含まれるインジケータに応じて、複数のＴＴＩをバンドルするかを選択しうる（例えば、バンドリングは、アクセス端末毎ベースで管理されうる）。さらに、周波数分割デュプレクス（ＦＤＤ）システムにおいて複数のＴＴＩがバンドルされうる。さらに、設定０、設定１、または設定６を適用する時分割デュプレクス（ＴＤＤ）システムにおいて複数のＴＴＩがバンドルされうる。
【００６６】
６０８では、スケジュールされた送信のペイロードが、バンドルされた複数のＴＴＩを用いて、共通の伝送ブロック（ＴＢ）で、基地局へ送信されうる。例えば、スケジュールされた送信のペイロードは、ラジオ・リソース制御（ＲＲＣ）接続要求および非アクセス階層（ＮＡＳ）プロトコル・データ・ユニット（ＰＤＵ）（例えば、ＮＡＳサービス要求）に関連する情報を含みうる。別の例によれば、スケジュールされた送信のペイロードは、ラジオ・リソース制御（ＲＲＣ）接続再確立メッセージのためのメッセージ認証コード・インテグリティ（ＭＡＣ−Ｉ）に関連する情報を含みうる。さらに、スケジュールされた送信に応答して、基地局からの競合解決メッセージが受信されうる。
【００６７】
図７に移って、無線通信環境においてランダム・アクセス手順を有効にすることを容易にする方法７００が例示されている。７０２では、アクセス端末からランダム・アクセス・プリアンブルが受信されうる。７０４では、ランダム・アクセス・プリアンブルに基づいて、ランダム・アクセス応答が生成されうる。例えば、ランダム・アクセス応答は、スケジュールされた送信のために、アクセス端末によって使用されるリソースを指定するインジケーションを含みうる。さらなる例によれば、ランダム・アクセス応答は、スケジュールされた送信に関連する使用のために、アクセス端末が、複数の送信期間（ＴＴＩ）をバンドルするかを制御するインジケータを含みうる。別の例によれば、ＴＴＩバンドリングが適用されるかを管理するインジケータを含む（例えば、システム情報メッセージのような）ブロードキャスト・メッセージが送信されうる。他の例によれば、ＴＴＩバンドリングの使用は、アップリンク帯域幅に基づいて制御されるか、予め定義されうる。７０６では、ランダム・アクセス応答が、アクセス端末へ送信される。
【００６８】
７０８では、バンドルされた複数の送信期間（ＴＴＩ）を用いて、アクセス端末から送られたスケジュールされた送信が、受信されうる。例えば、バンドルされた複数のＴＴＩを用いて送られたスケジュールされた送信は、ラジオ・リソース制御（ＲＲＣ）接続要求および非アクセス階層（ＮＡＳ）プロトコル・データ・ユニット（ＰＤＵ）（例えば、ＮＡＳサービス要求）に関連する情報を含みうる。この例によれば、アクセス端末からのスケジュールされた送信の後、後続するアップリンク・メッセージを受信する前に、ＮＡＳ  ＰＤＵに基づいて、初期アクセス端末メッセージが、移動管理エンティティ（ＭＭＥ）へ送信されうる。別の例によれば、バンドルされた複数のＴＴＩを用いて送られたスケジュールされた送信が、ラジオ・リソース制御（ＲＲＣ）接続再確立メッセージのためのメッセージ認証コード・インテグリティ（ＭＡＣ−Ｉ）に関連する情報を含みうる。この例によれば、短いＭＡＣ−Ｉではなく、通常のＭＡＣ−Ｉが、アクセス端末から取得されうる。さらに、この例によれば、アクセス端末からのスケジュールされた送信の後、後続するアップリンク・メッセージを受信する前に、ＲＲＣ接続再確立メッセージに基づいて、情報要求が、ソース基地局へ送信されうる。さらに、例えば、競合解決メッセージが、アクセス端末へ送信されうる。
【００６９】
本明細書に記載された１または複数の態様によれば、無線通信環境において、ランダム・アクセス手順のスケジュールされた送信（例えば、メッセージ３）のためにバンドルされた複数のＴＴＩを用いることに関して、推論がなされうることが認識されるべきである。本明細書で使用されるように、「推論する」または「推論」なる用語は一般に、イベントおよび／またはデータによって取得されたような観察のセットから、システム、環境、および／または、ユーザの状態の推論あるいはそれらに関する推理のプロセスを称する。推論は、特定のコンテキストまたは動作を特定するために適用されるか、あるいは、例えば状態にわたる確率分布を生成しうる。推論は、確率論的、すなわち、データおよびイベントの考慮に基づいて、該当する状態にわたる確率分布を計算することでありうる。推論はまた、イベントおよび／またはデータのセットから、より高いレベルのイベントを構築するために適用される技術を称することができる。そのような推論によって、イベントが時間的に近接していようといまいと、これらイベントおよびデータが１または幾つかのイベント・ソースおよびデータ・ソースに由来していようと、観察されたイベントおよび／または格納されたイベント・データのセットから、新たなイベントまたは動作を構築することができる。
【００７０】
図８は、無線通信システムにおいて、ランダム・アクセス手順のスケジュールされた送信（例えば、メッセージ３）を送るためにＴＴＩバンドリングを利用するアクセス端末８００の例示である。アクセス端末８００は、例えば（図示しない）受信アンテナから信号を受信し、受信した信号について一般的な動作（例えば、フィルタ、増幅、ダウンコンバート等）を実行し、これら調整された信号をデジタル化してサンプルを得る受信機８０２を備えうる。受信機８０２は、例えばＭＭＳＥ受信機であり、受信したシンボルを復調し、それらをチャネル推定のためにプロセッサ８０６へ送る復調器８０４を備えうる。プロセッサ８０６は、受信機８０２によって受信された情報を分析すること、および／または、送信機８１６による送信のための情報を生成することに特化されたプロセッサ、アクセス端末８００の１または複数の構成要素を制御するプロセッサ、および／または、受信機８０２によって受信された情報を分析し、送信機８１６による送信のための情報を生成し、アクセス端末８００の１または複数の構成要素を制御するプロセッサでありうる。
【００７１】
アクセス端末８００は、プロセッサ８０６に動作可能に接続されたメモリ８０８をさらに備える。このメモリは、送信されるべきデータ、受信したデータ、および、本明細書に記載されたさまざまな動作および機能を実行することに関連するその他任意の適切な情報を格納しうる。メモリ８０８、例えば、ランダム・アクセス手順の一部として、送られるべきスケジュールされた送信のために複数のＴＴＩをバンドルするかを認識することと、スケジュールされた送信のために複数のＴＴＩをバンドルすることと、スケジュールされた送信を、バンドルされた複数のＴＴＩを用いて（例えば基地局へ）送信すること等に関連するプロトコルおよび／またはアルゴリズムを格納しうる。
【００７２】
本明細書に記載されたデータ・ストア（例えば、メモリ８０８）は、揮発性メモリであるか、あるいは不揮発性メモリである。あるいは、揮発性メモリと不揮発性メモリとの両方を含みうることが認識されるだろう。限定ではなく例示によって、不揮発性メモリは、読取専用メモリ（ＲＯＭ）、プログラマブルＲＯＭ（ＰＲＯＭ）、電子的プログラマブルＲＯＭ（ＥＰＲＯＭ）、電子的消去可能ＰＲＯＭ（ＥＥＰＲＯＭ）、あるいはフラッシュ・メモリを含みうる。揮発性メモリは、外部キャッシュ・メモリとして動作するランダム・アクセス・メモリ（ＲＡＭ）を含みうる。例示によれば、限定することなく、ＲＡＭは、例えばスタティックＲＡＭ（ＳＲＡＭ）、ダイナミックＲＡＭ（ＤＲＡＭ）、シンクロナスＤＲＡＭ（ＳＤＲＡＭ）、ダブル・データ・レートＳＤＲＡＭ（ＤＤＲ  ＳＤＲＡＭ）、エンハンストＳＤＲＡＭ（ＥＳＤＲＡＭ）、同期リンクＤＲＡＭ（ＳＬＤＲＡＭ）、およびダイレクト・ラムバスＲＡＭ（ＤＲＲＡＭ）のような多くの形式で利用可能である。主題となるシステムおよび方法のメモリ８０８は、限定される訳ではないが、これらおよびその他任意の適切なタイプのメモリを備えることが意図される。
【００７３】
プロセッサ８０６は、バンドリング構成要素８１０および／またはスケジュール送信構成要素８１２に動作可能に接続されうる。バンドリング構成要素８１０は、図２のバンドリング構成要素２１０に実質的に類似しているか、および／または、スケジュール送信構成要素８１２は、図２のスケジュール送信構成要素２０８に実質的に類似しうる。バンドリング構成要素８１０は、スケジュールされた送信のためにＴＴＩバンドリングを適用するかを認識しうる。さらに、バンドリング構成要素８１０は、そのようなバンドリングが適用されるべきである場合、複数のＴＴＩをバンドルしうる。さらに、スケジュール送信構成要素２０８は、スケジュールされた送信（例えば、メッセージ３）を、バンドルされた複数のＴＴＩを用いて送信しうる。図示されていないが、アクセス端末８００はさらに、図２のプリアンブル生成構成要素２０６に実質的に類似しうるプリアンブル生成構成要素を含みうることが認識されうる。アクセス端末８００はさらに、変調器８１４と、データ、信号等を基地局へ送信する送信機８１６とを備える。プロセッサ８０６と別に示されているが、バンドリング構成要素８１０、スケジュール送信構成要素８１２、および／または、変調器８１４は、プロセッサ８０６または複数のプロセッサ（図示せず）の一部でありうることが認識されるべきである。
【００７４】
図９は、無線通信環境において、ランダム・アクセスに関するＴＴＩバンドリングを管理するシステム９００の例示である。システム９００は、複数の受信アンテナ９０６によって１または複数のアクセス端末９０４から信号を受信する受信機９１０と、送信アンテナ９０８を通して１または複数のアクセス端末９０４へ送信する送信機９２４とを備える基地局９０２（例えばアクセス・ポイント）を備える。受信機９１０は、受信アンテナ９０６から情報を受信するとともに、受信した情報を復調する復調器９１２と動作可能に関連付けられている。復調されたシンボルは、図８に関して上述したプロセッサに類似し、メモリ９１６に接続されているプロセッサ９１４によって分析される。メモリ９１６は、アクセス端末９０４へ送信されるべきデータ、あるいはアクセス端末９０４から受信したデータ、および／または、本明細書に記載されたさまざまな動作および機能を実行することに関連するその他任意の適切な情報を格納しうる。プロセッサ９１４はさらに、アップリンク・バンドリング制御構成要素９１８、および／または、応答生成構成要素９２０に接続されている。アップリンク・バンドリング制御構成要素９１８は、図２のアップリンク・バンドリング制御構成要素に実質的に類似しているか、および／または、応答生成構成要素９２０は、図２の応答生成構成要素２１２に実質的に類似しうる。アップリンク・バンドリング制御構成要素９１８は、スケジュールされた送信を送る場合、応答生成構成要素９２０によって生成されたランダム・アクセス応答（単数または複数）に含まれる許可（単数または複数）に応じて、複数のＴＴＩのバンドリングがアクセス端末（単数または複数）９０４によって適用されるべきかを管理しうる。例えば、アップリンク・バンドリング制御構成要素９１８は、ネットワーク毎ベース、基地局毎ベース、またはアクセス端末ベースで、ＴＴＩバンドリングの使用を制御しうる。さらに、図示されていないが、基地局９０２はさらに、図２の競合解決構成要素２１４に実質的に類似しうる競合解決構成要素を含みうることが考慮されるべきである。基地局９０２はさらに、変調器９２２を含みうる。変調器９２２は、前述した説明にしたがって、送信機９２４によるアンテナ９０８を経由したアクセス端末９０４への送信のために、フレームを多重化しうる。プロセッサ９１４と別に示されているが、アップリンク・バンドリング制御構成要素９１８、リソース生成構成要素９００、および／または、変調器９２２は、プロセッサ９１４または多くのプロセッサ（図示せず）  の一部でありうることが認識されるべきである。
【００７５】
図１０は、無線通信システム１０００の例を示す。無線通信システム１０００は、簡潔さの目的のため、１つの基地局１０１０と１つのアクセス端末１０５０しか示していない。しかしながら、システム１０００は、１より多い基地局、および／または、１より多いアクセス端末を含みうることが認識されるべきである。ここで、追加の基地局および／またはアクセス端末は、以下に示す基地局１０１０およびアクセス端末１０５０の例と実質的に類似しうるか、あるいは、異なりうる。さらに、基地局１０１０および／またはアクセス端末１０５０は、その間の無線通信を容易にするために、本明細書に記載されたシステム（図１−図２、図８−図９、および図１１−図１２）および／または方法（図６−図７）を適用しうることが認識されるべきである。
【００７６】
基地局１０１０では、多くのデータ・ストリームのためのトラフィック・データが、データ・ソース１０１２から送信（ＴＸ）データ・プロセッサ１０１４へ提供される。一例によれば、おのおののデータ・ストリームが、それぞれのアンテナを介して送信される。ＴＸデータ・プロセッサ１０１４は、トラフィック・データ・ストリームをフォーマットし、このデータ・ストリームのために選択された特定の符号化スキームに基づいて符号化し、インタリーブして、符号化されたデータを提供する。
【００７７】
おのおののデータ・ストリームの符合化されたデータは、直交周波数分割多重化（ＯＦＤＭ）技術を用いてパイロット・データと多重化されうる。さらに、あるいは、その代わりに、パイロット・シンボルは、周波数分割多重化（ＦＤＭ）、時分割多重化（ＴＤＭ）、あるいは符号分割多重化（ＣＤＭ）されうる。パイロット・データは、一般には、周知の方式で処理される既知のデータ・パターンであり、チャネル応答を推定するために、アクセス端末１０５０において使用されうる。おのおののデータ・ストリームについて多重化されたパイロットおよび符号化されたデータは、データ・ストリームのために選択された特定の変調スキーム（例えば、バイナリ・フェーズ・シフト・キーイング（ＢＰＳＫ）、直交フェーズ・シフト・キーイング（ＱＰＳＫ）、Ｍフェーズ・シフト・キーイング（Ｍ−ＰＳＫ）、Ｍ直交振幅変調（Ｍ−ＱＡＭ）等）に基づいて変調（例えば、シンボル・マップ）され、変調シンボルが提供される。おのおののデータ・ストリームのデータ・レート、符号化、および変調は、プロセッサ１０３０によって実行または提供される指示によって決定されうる。
【００７８】
データ・ストリームの変調シンボルは、（例えば、ＯＦＤＭのために）変調シンボルを処理するＴＸ  ＭＩＭＯプロセッサ１０２０に提供される。ＴＸ  ＭＩＭＯプロセッサ１０２０は、その後、ＮＴ個の変調シンボル・ストリームを、ＮＴ個の送信機（ＴＭＴＲ）１０２２ａ乃至１０２２ｔへ提供する。さまざまな実施形態において、ＴＸ  ＭＩＭＯプロセッサ１０２０は、データ・ストリームのシンボル、および、そのシンボルが送信されるアンテナへ、ビームフォーミング重みを適用する。
【００７９】
おのおのの送信機１０２２は、１または複数のアナログ信号を提供するために、それぞれのシンボル・ストリームを受信して処理し、さらには、ＭＩＭＯチャネルを介した送信に適切な変調信号を提供するために、このアナログ信号を調整（例えば、増幅、フィルタ、およびアップコンバート）する。さらに、送信機１０２２ａ乃至１０２２ｔからのＮＴ個の変調信号はそれぞれ、ＮＴ個のアンテナ１０２４ａ乃至１０２４ｔへ送信されうる。
【００８０】
アクセス端末１０５０では、送信された調整信号が、ＮＲ個のアンテナ１０５２ｒ乃至１０５２ａによって受信され、アンテナ１０５２のおのおのから受信された信号は、それぞれの受信機（ＲＣＶＲ）１０５４ａ乃至１０５４ｒへ提供される。おのおのの受信機１０５４は、それぞれの信号を調整（例えば、フィルタ、増幅、およびダウンコンバート）し、この調整された信号をデジタル化してサンプルを提供し、さらにこのサンプルを処理して、対応する「受信された」シンボル・ストリームを提供する。
【００８１】
ＲＸデータ・プロセッサ１０６０は、ＮＲ個の受信機１０５４からＮＲ個のシンボル・ストリームを受信し、受信されたこれらシンボル・ストリームを、特定の受信機処理技術に基づいて処理して、ＮＴ個の「検出された」シンボル・ストリームを提供する。ＲＸデータ・プロセッサ１０６０は、検出されたおのおののシンボル・ストリームを復調し、デインタリーブし、復号して、そのデータ・ストリームのためのトラフィック・データを復元する。ＲＸデータ・プロセッサ１０６０による処理は、基地局１０１０におけるＴＸ  ＭＩＭＯプロセッサ１０２０およびＴＸデータ・プロセッサ１０１４によって実行されるものと相補的である。
【００８２】
プロセッサ１０７０は、上述したように、利用可能などの技術を利用するのかを定期的に決定する。さらに、プロセッサ１０７０は、行列インデクス部およびランク値部を備えた逆方向リンク・メッセージを規定することができる。
【００８３】
逆方向リンク・メッセージは、通信リンクおよび／または受信されたデータ・ストリームに関するさまざまなタイプの情報を備えうる。逆方向リンク・メッセージは、ＴＸデータ・プロセッサ１０３８によって処理され、変調器１０８０によって変調され、送信機１０５４ａ乃至１０５４ｒによって調整され、基地局１０１０へ送り戻される。なお、ＴＸデータ・プロセッサ１０３８はまた、多くのデータ・ストリームに関するトラフィック・データをデータ・ソース１０３６から受信する。
【００８４】
基地局１０１０では、アクセス端末１０５０からの調整された信号が、アンテナ１０２４によって受信され、受信機１０２２によって調整され、復調器１０４０によって復調され、ＲＸデータ・プロセッサ１０４２によって処理されることによって、アクセス端末１０５０によって送信された逆方向リンク・メッセージが抽出される。さらに、プロセッサ１０３０は、ビームフォーミング重みを決定するためにどの事前符号化行列を使用するかを決定するために、この抽出されたメッセージを処理する。
【００８５】
プロセッサ１０３０およびプロセッサ１０７０は、基地局１０１０およびアクセス端末１０５０それぞれにおける動作を指示（例えば、制御、調整、管理等）する。プロセッサ１０３０およびプロセッサ１０７０はそれぞれ、プログラム・コードおよびデータを格納するメモリ１０３２およびメモリ１０７２に関連付けられうる。プロセッサ１０３０およびプロセッサ１０７０はまた、アップリンクおよびダウンリンクそれぞれのための周波数およびインパルス応答推定値を導出する計算をも実行する。
【００８６】
態様では、論理チャネルが、制御チャネルとトラフィック・チャネルとに分類される。論理制御チャネルは、システム制御情報をブロードキャストするためのＤＬチャネルであるブロードキャスト制御チャネル（ＢＣＣＨ）を含みうる。さらに、論理制御チャネルは、ページング情報を転送するＤＬチャネルであるページング制御チャネル（ＰＣＣＨ）を含みうる。さらに、論理制御チャネルは、１またはいくつかのＭＴＣＨのためにマルチメディア・ブロードキャストおよびマルチキャスト・サービス（ＭＢＭＳ）スケジュールおよび制御情報を送信するために使用されるポイント・トゥ・マルチポイントＤＬチャネルであるマルチキャスト制御チャネル（ＭＣＣＨ）を備えうる。一般に、ラジオ・リソース制御（ＲＲＣ）接続を確立した後、このチャネルは、ＭＢＭＳ（例えば、旧ＭＣＣＨ＋ＭＳＣＨ）を受信するＵＥによってのみ使用される。さらに、論理制御チャネルは、専用制御情報を送信するポイント・トゥ・ポイント双方向チャネルであり、ＲＲＣ接続を有するＵＥによって使用される専用制御チャネル（ＤＣＣＨ）を含みうる。態様では、論理トラフィック・チャネルは、ユーザ情報を転送するために、１つのＵＥに専用のポイント・トゥ・ポイント双方向チャネルである専用トラフィック・チャネル（ＤＴＣＨ）を備える。さらに、論理トラフィック・チャネルは、トラフィック・データを送信するポイント・トゥ・マルチポイントＤＬチャネルのためのマルチキャスト・トラフィック・チャネル（ＭＴＣＨ）をも含みうる。
【００８７】
態様では、伝送チャネルが、ＤＬとＵＬとに分類される。ＤＬ伝送チャネルは、ブロードキャスト・チャネル（ＢＣＨ）、ダウンリンク共有データ・チャネル（ＤＬ−ＳＤＣＨ）、およびページング・チャネル（ＰＣＨ）を備える。ＰＣＨは、セル全体にわたってブロードキャストされることにより、および、他の制御／トラフィック・チャネルのために使用されうる物理レイヤ（ＰＨＹ）リソースにマップされることにより、ＵＥ節電をサポートする（例えば、不連続受信（ＤＲＸ）サイクルが、ネットワークによってＵＥへ示される）。ＵＬ伝送チャネルは、ランダム・アクセス・チャネル（ＲＡＣＨ）、要求チャネル（ＲＥＱＣＨ）、アップリンク共有データ・チャネル（ＵＬ−ＳＤＣＨ）、および複数のＰＨＹチャネルを備える。
【００８８】
ＰＨＹチャネルは、ＤＬチャネルとＵＬチャネルとのセットを備える。例えば、ＤＬ  ＰＨＹチャネルは、共通のパイロット・チャネル（ＣＰＩＣＨ）、同期チャネル（ＳＣＨ）、共通制御チャネル（ＣＣＣＨ）、共有ＤＬ制御チャネル（ＳＤＣＣＨ）、マルチキャスト制御チャネル（ＭＣＣＨ）、共有ＵＬ割当チャネル（ＳＵＡＣＨ）、アクノレッジメント・チャネル（ＡＣＫＣＨ）、ＤＬ物理共有データ・チャネル（ＤＬ−ＰＳＤＣＨ）、ＵＬ電力制御チャネル（ＵＰＣＣＨ）、ページング・インジケータ・チャネル（ＰＩＣＨ）、および／または、負荷インジケータ・チャネル（ＬＩＣＨ）を含みうる。さらなる実例として、ＵＬ  ＰＨＹチャネルは、物理ランダム・アクセス・チャネル（ＰＲＡＣＨ）、チャネル品質インジケータ・チャネル（ＣＱＩＣＨ）、アクノレッジメント・チャネル（ＡＣＫＣＨ）、アンテナ・サブセット・インジケータ・チャネル（ＡＳＩＣＨ）、共有要求チャネル（ＳＲＥＱＣＨ）、ＵＬ物理共有データ・チャネル（ＵＬ−ＰＳＤＣＨ）、および／またはブロードキャスト・パイロット・チャネル（ＢＰＩＣＨ）を含みうる。
【００８９】
本明細書に記載された実施形態は、ハードウェア、ソフトウェア、ファームウェア、ミドルウェア、マイクロコード、あるいはこれらの任意の組み合わせで実現されうることが理解されるべきである。ハードウェアで実現する場合、処理ユニットは、１または複数の特定用途向けＩＣ（ＡＳＩＣ）、デジタル信号プロセッサ（ＤＳＰ）、デジタル信号処理デバイス（ＤＳＰＤ）、プログラム可能論理回路（ＰＬＤ）、フィールドプログラム可能ゲート・アレイ（ＦＰＧＡ）、プロセッサ、コントローラ、マイクロ・コントローラ、マイクロ・プロセッサ、本明細書に記載の機能を実行するために設計されたその他の電子ユニット、あるいはこれらの組み合わせ内に実装されうる。
【００９０】
これら実施形態が、ソフトウェア、ファームウェア、ミドルウェアあるいはマイクロコード、プログラム・コードあるいはコード・セグメントで実現される場合、これらは、例えば記憶素子のような機械読取可能媒体に格納されうる。コード・セグメントは、手順、機能、サブプログラム、プログラム、ルーチン、サブルーチン、モジュール、ソフトウェア・パッケージ、クラス、または、命令、データ構造、あるいはプログラム文からなる任意の組み合わせを表すことができる。コード・セグメントは、情報、データ、引数、パラメータ、あるいは記憶内容の引渡および／または受信を行うことによって、他のコード・セグメントまたはハードウェア回路に接続されうる。情報、引数、パラメータ、データなどは、メモリ共有、メッセージ引渡し、トークン引渡、ネットワーク送信などを含む任意の適切な手段を用いて引渡、転送、あるいは送信されうる。
【００９１】
ソフトウェアで実現する場合、本明細書に記載のこれら技術は、本明細書に記載の機能を実行するモジュール（例えば、手続き、機能等）を用いて実現されうる。ソフトウェア・コードは、メモリ・ユニット内に格納され、プロセッサによって実行されうる。メモリ・ユニットは、プロセッサ内部またはプロセッサ外部に実装されうる。プロセッサ外部に実装される場合、メモリ・ユニットは、当該技術分野で周知のさまざまな手段によってプロセッサと通信可能に接続されうる。
【００９２】
図１１を参照して、無線通信環境においてランダム・アクセスの実行を可能にするシステム１１００が図示される。例えば、システム１１００は、アクセス端末内に存在しうる。システム１１００は、プロセッサ、ソフトウェア、またはそれらの組み合わせ（例えば、ファームウェア）によって実現される機能を表す機能ブロックでありうる機能ブロックを含むものとして示されることが認識されるべきである。システム１１００は、連携して動作しうる電子構成要素の論理グループ１１０２を含む。例えば、論理グループ１１０２は、ランダム・アクセス手順における基地局へのスケジュールされた送信のために、複数の送信期間（ＴＴＩ）をバンドルするかを検出するための電子構成要素１１０４を含みうる。さらに、論理グループ１１０２は、複数のＴＴＩをバンドルするための電子構成要素１１０６を含みうる。例えば、複数のＴＴＩが、選択的にバンドルされうる。さらに、論理グループ１１０２は、スケジュールされた送信を、バンドルされた複数のＴＴＩによって基地局へ送るための電子構成要素１１０８を含みうる。論理グループ１１０２はまた、オプションとして、基地局とのランダム・アクセス手順を実行するための電子構成要素１１１０を含みうる。さらに、システム１１００は、電子構成要素１１０４、１１０６、１１０８、１１１０に関連付けられた機能を実行するための命令群を保持するメモリ１１１２を含みうる。メモリ１１１２の外側にあると示されているが、電子構成要素１１０４、１１０６、１１０８、１１１０のうちの１または複数は、メモリ１１１２の内部に存在しうることが理解されるべきである。
【００９３】
図１２を参照して、無線通信環境において、ランダム・アクセスを管理することを可能にするシステム１２００が例示される。例えば、システム１２００は、基地局内に少なくとも部分的に存在しうる。システム１２００は、プロセッサ、ソフトウェア、またはそれらの組み合わせ（例えば、ファームウェア）によって実現される機能を表す機能ブロックでありうる機能ブロックを含むものとして示されることが認識されるべきである。システム１２００は、連携して動作しうる電子構成要素の論理グループ１２０２を含む。例えば、論理グループ１２０２は、ランダム・アクセス手順において、スケジュールされた送信のために、アクセス端末が、複数の送信間隔（ＴＴＩ）をバンドルするかを制御するための電子構成要素１２０４を含みうる。さらに、論理グループ１２０２は、バンドルされた複数のＴＴＩを用いて、アクセス端末から送られたスケジュールされた送信を受信するための電子構成要素１２０６を含みうる。論理グループ１２０２はさらに、オプションとして、アクセス端末とのランダム・アクセス手順を有効にするための電子構成要素１２０８を含みうる。さらに、システム１２００は、電子構成要素１２０４、１２０６、１２０８に関連付けられた機能を実行するための命令群を保持するメモリ１２１０を含みうる。メモリ１２１０の外側にあるとして示されているが、電子構成要素１２０４、１２０６、１２０８のうちの１または複数は、メモリ１２１０内に存在しうることが理解されるべきである。
【００９４】
上述したものは、１または複数の実施形態の一例を含んでいる。もちろん、上述した実施形態を説明する目的で、構成要素または方法の考えられるすべての組み合わせを記述することは可能ではないが、当業者であれば、さまざまな実施形態のさらに多くの組み合わせおよび置き換えが可能であることを認識することができる。したがって、記載された実施形態は、特許請求の範囲の精神およびスコープ内にあるそのようなすべての変更、変更、および変形を含むことが意図される。さらにまた、用語「含む」が、詳細説明あるいは特許請求の範囲のうちの何れかで使用されている限り、その用語は、用語「備える」が、請求項における遷移語として適用される場合に解釈される用語「備える」と同様に、包括的であることが意図される。
なお、以下に、出願当初の特許請求の範囲に記載された発明を付記する。
［発明１］
無線通信環境においてランダム・アクセスを実行することを容易にする方法であって、
基地局へランダム・アクセス・プリアンブルを送信することと、
前記ランダム・アクセス・プリアンブルに応答して、前記基地局からのランダム・アクセス応答を受信することと、
スケジュールされた送信のために、複数の送信期間（ＴＩＩ）をバンドルすることと、
前記バンドルされた複数のＴＴＩを用いて、前記スケジュールされた送信のペイロードを、共通の伝送ブロック（ＴＢ）内で前記基地局へ送信することと
を備える方法。
［発明２］
前記複数のＴＴＩをバンドルするかを識別することをさらに備える発明１に記載の方法。
［発明３］
前記複数のＴＴＩは、バンドルされるように予め定められた発明１に記載の方法。
［発明４］
前記複数のＴＴＩを、アップリンク帯域幅に応じて選択的にバンドルすることをさらに備える発明１に記載の方法。
［発明５］
前記アップリンク帯域幅がしきい値以下である場合、前記複数のＴＴＩを選択的にバンドルすることをさらに備える発明４に記載の方法。
［発明６］
前記複数のＴＴＩをバンドルするかを区別するインジケータを含むブロードキャスト・メッセージを受信することと、
前記ブロードキャスト・メッセージに含まれるインジケータに基づいて、前記複数のＴＴＩをバンドするかを認識することと
をさらに備える発明１に記載の方法。
［発明７］
前記ランダム・アクセス応答に含まれ、前記複数のＴＴＩをバンドルするかを識別するインジケータを評価することと、
前記ランダム・アクセス応答に含まれるインジケータに応じて、前記複数のＴＴＩをバンドルするかを選択することと
をさらに備える発明１に記載の方法。
［発明８］
前記スケジュールされた送信のペイロードは、ラジオ・リソース制御（ＲＲＣ）接続要求および非アクセス階層（ＮＡＳ）プロトコル・データ・ユニット（ＰＤＵ）に関連する情報を備える発明１に記載の方法。
［発明９］
前記スケジュールされた送信のペイロードは、ラジオ・リソース制御（ＲＲＣ）接続再確立メッセージのためのメッセージ認証コード・インテグリティ（ＭＡＣ−Ｉ）に関連する情報を備える発明１に記載の方法。
［発明１０］
前記複数のＴＴＩを、周波数分割デュプレクス（ＦＤＤ）システムにおいてバンドルすることをさらに備える発明１に記載の方法。
［発明１１］
設定０、設定１、または設定６のうちの１つを適用する時分割デュプレクス（ＴＤＤ）システムにおいて、前記複数のＴＴＩをバンドルすることをさらに備える発明１に記載の方法。
［発明１２］
無線通信装置であって、
ランダム・アクセス・プリアンブルを基地局へ送信することと、
前記ランダム・アクセス・プリアンブルに応答して、前記基地局からのランダム・アクセス応答を取得することと、
スケジュールされた送信のために、複数の送信期間（ＴＴＩ）をバンドルすることと、
前記バンドルされた複数のＴＴＩを用いて、前記スケジュールされた送信を前記基地局へ送信することと、
に関連する命令群を保持するメモリと、
前記メモリに接続され、前記メモリに保持された命令群を実行するように構成されたプロセッサと
を備える無線通信装置。
［発明１３］
前記メモリはさらに、前記スケジュールされた送信を前記基地局へ送信するために、前記複数のＴＴＩをバンドルするかを認識することに関連する命令群を保持する発明１２に記載の無線通信装置。
［発明１４］
ＴＴＩバンドリングがネットワークにわたって実行される発明１２に記載の無線通信装置。
［発明１５］
前記メモリはさらに、アップリンク帯域幅がしきい値以下であるかに基づいて、前記複数のＴＴＩをバンドルするかを検出することに関連する命令群を保持する発明１２に記載の無線通信装置。
［発明１６］
前記メモリはさらに、前記基地局からのブロードキャスト・メッセージによって受信されたインジケータに基づいて、前記複数のＴＴＩをバンドルするかを識別することに関連する命令群を保持する発明１２に記載の無線通信装置。
［発明１７］
前記メモリはさらに、前記基地局からのランダム・アクセス応答の一部として取得されたインジケータに基づいて、前記複数のＴＴＩをバンドルするかを認識することに関連する命令群を保持する発明１２に記載の無線通信装置。
［発明１８］
前記スケジュールされた送信は、ラジオ・リソース制御（ＲＲＣ）接続要求および非アクセス階層（ＮＡＳ）プロトコル・データ・ユニット（ＰＤＵ）に関連する情報を備える発明１２に記載の無線通信装置。
［発明１９］
前記スケジュールされた送信は、ラジオ・リソース制御（ＲＲＣ）接続再確立メッセージのためのメッセージ認証コード・インテグリティ（ＭＡＣ−Ｉ）に関連する情報を備える発明１２に記載の無線通信装置。
［発明２０］
前記メモリはさらに、設定０、設定１、または設定６のうちの１つを利用する時分割デュプレクス（ＴＤＤ）システムまたは周波数分割デュプレクス（ＦＤＤ）システムのうちの少なくとも１つにおいて、前記複数のＴＴＩをバンドルすることに関連する命令群を保持する発明１２に記載の無線通信装置。
［発明２１］
無線通信環境においてランダム・アクセスを実行することを可能にする無線通信装置であって、
ランダム・アクセス手順において、基地局へのスケジュールされた送信のために、複数の送信期間（ＴＴＩ）をバンドルするかを検出する手段と、
前記複数のＴＴＩをバンドルする手段と、
前記スケジュールされた送信を、前記バンドルされた複数のＴＴＩによって、前記基地局へ送る手段と
を備える無線通信装置。
［発明２２］
前記基地局とのランダム・アクセス手順を実行する手段をさらに備える発明２１に記載の無線通信装置。
［発明２３］
前記複数のＴＴＩのバンドリングがサポートされるかは、ネットワーク毎、基地局毎、またはアクセス端末毎のうちの１つによって制御される発明２１に記載の無線通信装置。
［発明２４］
前記スケジュールされた送信は、ラジオ・リソース制御（ＲＲＣ）接続要求および非アクセス階層（ＮＡＳ）プロトコル・データ・ユニット（ＰＤＵ）に関連する情報を備える発明２１に記載の無線通信装置。
［発明２５］
前記スケジュールされた送信は、ラジオ・リソース制御（ＲＲＣ）接続再確立メッセージのためのメッセージ認証コード・インテグリティ（ＭＡＣ−Ｉ）に関連する情報を備える発明２１に記載の無線通信装置。
［発明２６］
コンピュータ読取可能媒体を備えるコンピュータ・プログラム製品であって、
前記コンピュータ読取可能媒体は、
基地局へランダム・アクセス・プリアンブルを送信するためのコードと、
前記ランダム・アクセス・プリアンブルに応答して、前記基地局からのランダム・アクセス応答を受信するためのコードと、
スケジュールされた送信のために、複数の送信期間（ＴＴＩ）をバンドルするかを検出するためのコードと、
前記スケジュールされた送信のために、前記複数のＴＴＩをバンドルするためのコードと、
前記バンドルされた複数のＴＴＩを用いて、前記スケジュールされた送信のペイロードを、共通の伝送ブロック（ＴＢ）内で前記基地局へ送信するためのコードと
を備えるコンピュータ・プログラム製品。
［発明２７］
ＴＴＩバンドリングがネットワークにわたって実行される発明２６に記載のコンピュータ・プログラム製品。
［発明２８］
前記コンピュータ読取可能媒体はさらに、受信されたブロードキャスト・メッセージに含まれるインジケータに基づいて、前記スケジュールされた送信のために前記複数のＴＴＩをバンドルするかを検出するためのコードを備える発明２６に記載のコンピュータ・プログラム製品。
［発明２９］
前記コンピュータ読取可能媒体はさらに、前記ランダム・アクセス応答に含まれるインジケータに応じて、前記スケジュールされた送信のために前記複数のＴＴＩをバンドルするかを検出するためのコードを備える発明２６に記載のコンピュータ・プログラム製品。
［発明３０］
前記コンピュータ読取可能媒体はさらに、アップリンク帯域幅に応じて、前記スケジュールされた送信のために前記複数のＴＴＩをバンドルするかを検出するためのコードを備える発明２６に記載のコンピュータ・プログラム製品。
［発明３１］
無線通信装置であって、
基地局へランダム・アクセス・プリアンブルを送信し、
前記ランダム・アクセス・プリアンブルに応答して、前記基地局からランダム・アクセス応答を取得し、
スケジュールされた送信のために、複数の送信期間（ＴＴＩ）をバンドルするかを、ネットワークのために予め定められた設定、ブロードキャスト・メッセージに含まれるインジケータ、前記ランダム・アクセス応答に含まれるインジケータ、またはアップリンク帯域幅のうちの１または複数に基づいて認識し、
前記スケジュールされた送信のために複数のＴＴＩをバンドルし、
前記バンドルされた複数のＴＴＩを用いて、前記スケジュールされた送信を、共通の伝送ブロック（ＴＢ）内で前記基地局へ送信し、
前記スケジュールされた送信に応答して、前記基地局から、競合解決メッセージを取得する
ように構成されたプロセッサを備える無線通信装置。
［発明３２］
無線通信環境において、ランダム・アクセス手順を有効にすることを容易にする方法であって、
アクセス端末からランダム・アクセス・プリアンブルを受信することと、
前記ランダム・アクセス・プリアンブルに基づいて、ランダム・アクセス応答を生成することと、
前記ランダム・アクセス応答を前記アクセス端末へ送信することと、
バンドルされた複数の送信期間（ＴＴＩ）を用いて、前記アクセス端末から送られた、スケジュールされた送信を受信することと
を備える方法。
［発明３３］
前記ランダム・アクセス応答は、前記スケジュールされた送信に関連して使用するために、前記アクセス端末が、前記複数のＴＴＩをバンドルするかを制御するインジケータを含む発明３２に記載の方法。
［発明３４］
ＴＴＩバンドリングが適用されるかを管理するインジケータを含むブロードキャスト・メッセージを送信することをさらに備える発明３２に記載の方法。
［発明３５］
ネットワークについて、ＴＴＩバンドリングの使用が予め定められた発明３２に記載の方法。
［発明３６］
ＴＴＩバンドリングの使用が、アップリンク帯域幅に基づいて制御される発明３２に記載の方法。
［発明３７］
前記バンドルされた複数のＴＴＩを用いて送られたスケジュールされた送信は、ラジオ・リソース制御（ＲＲＣ）接続要求および非アクセス階層（ＮＡＳ）プロトコル・データ・ユニット（ＰＤＵ）に関連する情報を含む発明３２に記載の方法。
［発明３８］
前記アクセス端末からのスケジュールされた送信の後、後続するアップリンク・メッセージを受信する前に、前記ＮＡＳ ＰＤＵに基づいて、初期アクセス端末メッセージを移動管理エンティティ（ＭＭＥ）へ送信することをさらに備える発明３７に記載の方法。
［発明３９］
前記バンドルされた複数のＴＴＩを用いて送られたスケジュールされた送信は、ラジオ・リソース制御（ＲＲＣ）接続再確立メッセージのためのメッセージ認証コード・インテグリティ（ＭＡＣ−Ｉ）に関連する情報を含む発明３２に記載の方法。
［発明４０］
無線通信装置であって、
アクセス端末からランダム・アクセス・プリアンブルを受信することと、
前記ランダム・アクセス・プリアンブルに基づいて、ランダム・アクセス応答を生成することと、
前記ランダム・アクセス応答を前記アクセス端末へ送信することと、
バンドルされた複数の送信期間（ＴＴＩ）を用いて、前記アクセス端末から送られたスケジュールされた送信を受信することと、
に関連する命令群を保持するメモリと、
前記メモリに接続され、前記メモリに保持された命令群を実行するように構成されたプロセッサと
を備える無線通信装置。
［発明４１］
前記メモリはさらに、前記アクセス端末が前記複数のＴＴＩをバンドルするかを制御することに関連する命令群を保持する発明４０に記載の無線通信装置。
［発明４２］
前記バンドルされた複数のＴＴＩを用いて送られたスケジュールされた送信は、ラジオ・リソース制御（ＲＲＣ）接続要求および非アクセス階層（ＮＡＳ）プロトコル・データ・ユニット（ＰＤＵ）に関連する情報を含む発明４０に記載の無線通信装置。
［発明４３］
前記バンドルされた複数のＴＴＩを用いて送られたスケジュールされた送信は、ラジオ・リソース制御（ＲＲＣ）接続再確立メッセージのためのメッセージ認証コード・インテグリティ（ＭＡＣ−Ｉ）に関連する情報を含む発明４０に記載の無線通信装置。
［発明４４］
無線通信環境におけるランダム・アクセスを管理することを可能にする無線通信装置であって、
ランダム・アクセス手順において、アクセス端末が、スケジュールされた送信のために複数の送信期間（ＴＴＩ）をバンドルするかを制御する手段と、
前記バンドルされた複数のＴＴＩを用いて、前記アクセス端末から送られた、前記スケジュールされた送信を受信する手段と
を備える無線通信装置。
［発明４５］
前記アクセス端末とのランダム・アクセス手順を有効にするための手段をさらに備える発明４４に記載の無線通信装置。
［発明４６］
前記バンドルされた複数のＴＴＩを用いて前記アクセス端末から送られたスケジュールされた送信は、非アクセス階層（ＮＡＳ）プロトコル・データ・ユニット（ＰＤＵ）を伴うラジオ・リソース制御（ＲＲＣ）接続要求、または、メッセージ認証コード・インテグリティ（ＭＡＣ−Ｉ）を伝送するＲＲＣ接続再確立メッセージのうちの１つを備える発明４４に記載の無線通信装置。
［発明４７］
コンピュータ読取可能媒体を備えるコンピュータ・プログラム製品であって、
前記コンピュータ読取可能媒体は、
ランダム・アクセス手順において、アクセス端末が、スケジュールされた送信のために複数の送信期間（ＴＴＩ）をバンドルするかを管理するためのコードと、
前記バンドルされた複数のＴＴＩを用いて、前記スケジュールされた送信を、前記アクセス端末から取得するためのコードと
を備えるコンピュータ・プログラム製品。
［発明４８］
前記コンピュータ読取可能媒体はさらに、前記アクセス端末とのランダム・アクセス手順を実行するためのコードをさらに備える発明４７に記載のコンピュータ・プログラム製品。
［発明４９］
前記バンドルされた複数のＴＴＩを用いて前記アクセス端末から送られたスケジュールされた送信は、非アクセス階層（ＮＡＳ）プロトコル・データ・ユニット（ＰＤＵ）を伴うラジオ・リソース制御（ＲＲＣ）接続要求、または、メッセージ認証コード・インテグリティ（ＭＡＣ−Ｉ）を伝送するＲＲＣ接続再確立メッセージのうちの１つを備える発明４７に記載のコンピュータ・プログラム製品。
［発明５０］
無線通信装置であって、
アクセス端末からランダム・アクセス・プリアンブルを受信し、
前記ランダム・アクセス・プリアンブルに基づいて、ランダム・アクセス応答を生成し、
前記アクセス端末へ前記ランダム・アクセス応答を送信し、
前記アクセス端末が、スケジュールされた送信のために、複数の送信期間（ＴＴＩ）をバンドルするかを制御し、
前記バンドルされた複数の送信期間（ＴＴＩ）を用いて、前記アクセス端末から送られたスケジュールされた送信を受信する
ように構成されたプロセッサを備える無線通信装置。
【図１】
0005646480.tif 000002
【図２】
0005646480.tif 000003
【図３】
0005646480.tif 000004
【図４】
0005646480.tif 000005
【図５】
0005646480.tif 000006
【図６】
0005646480.tif 000007
【図７】
0005646480.tif 000008
【図８】
0005646480.tif 000009
【図９】
0005646480.tif 000010
【図１０】
0005646480.tif 000011
【図１１】
0005646480.tif 000012
【図１２】
0005646480.tif 000013